(57)【要約】【課題】文書データの端末装置における表示形態を、電子機器側で容易に再現する。【解決手段】端末装置１の第１の表示制御部は、表示対象の文書データに関する表示画面を第１の表示部へ表示する。送信部は、表示情報を、機器ＩＤによって識別されるＭＦＰ２へ送信する。ＭＦＰ２の第２の取得部は、端末装置１から受信した表示情報に含まれる記憶部ＩＤによって識別されるサーバ装置３へユーザＩＤを用いてアクセスし、該サーバ装置３から該文書ＩＤによって識別される文書データを取得する。ＭＦＰ２の第２の表示制御部は、取得した文書データを、表示情報に含まれる表示形態情報によって示される表示形態で表示した表示画面を表示する。【選択図】図１
2017111517.tif 000002
【特許請求の範囲】
【請求項１】
電子機器と、前記電子機器と通信する端末装置と、を有する情報処理システムであって、
前記端末装置は、
第１の表示部と、
表示対象の文書データに関する表示画面を前記第１の表示部へ表示する第１の表示制御部と、
前記電子機器を識別する機器識別情報を取得する第１の取得部と、
表示された前記表示画面に含まれる前記文書データの表示形態を示す表示形態情報と、前記表示画面に含まれる前記文書データの文書識別情報と、前記文書データを記憶した文書記憶部の記憶部識別情報と、前記文書記憶部へアクセスするために用いるユーザ識別情報と、を含む表示情報を、前記機器識別情報によって識別される前記電子機器へ送信する送信部と、
を備え、
前記電子機器は、
第２の表示部と、
前記表示情報を受信する受信部と、
前記表示情報に含まれる前記記憶部識別情報によって識別される前記文書記憶部へ、前記ユーザ識別情報を用いてアクセスし、該文書記憶部から前記文書識別情報によって識別される前記文書データを取得する第２の取得部と、
取得した前記文書データを、前記表示情報に含まれる前記表示形態情報によって示される表示形態で表示した前記表示画面を前記第２の表示部へ表示する第２の表示制御部と、
を備える、
情報処理システム。
【請求項２】
前記電子機器は、画像を記録媒体に形成する画像形成部を有する、請求項１に記載の情報処理システム。
【請求項３】
前記端末装置は、
前記機器識別情報を示す識別画像を読取る読取部を備え、
前記第１の取得部は、前記識別画像の読取結果から前記機器識別情報を取得する、
請求項１に記載の情報処理システム。
【請求項４】
前記電子機器は、
前記表示情報に応じた前記表示画面の表示を中止するか否かを判断する判断部を備え、
前記第２の表示制御部は、前記表示画面の表示を中止すると判断した場合、前記第２の表示部への前記表示画面の表示を中止する、請求項１に記載の情報処理システム。
【請求項５】
前記端末装置の前記送信部は、
前記表示情報に応じた前記表示画面の表示の中止を示す中止情報を送信し、
前記電子機器の前記判断部は、
前記中止情報を受信したときに、前記表示画面の表示を中止すると判断する、
請求項４に記載の情報処理システム。
【請求項６】
前記端末装置の前記送信部は、
前記表示情報を前記電子機器へ送信した後に、該送信から所定時間の間、前記表示画面の表示継続を示す継続情報を繰り返し送信し、
前記電子機器の前記判断部は、前記継続情報を予め定めた時間以上受信しない場合、前記表示画面の表示を中止すると判断する、
請求項４に記載の情報処理システム。
【請求項７】
前記端末装置は、前記文書記憶部を備える、請求項１〜請求項６の何れか１項に記載の情報処理システム。
【請求項８】
前記文書記憶部を備えたサーバ装置を更に備える、請求項１〜請求項６の何れか１項に記載の情報処理システム。
【請求項９】
前記電子機器と、前記端末装置と、は互いに異なるネットワークに接続され、
複数の前記ネットワークを中継する中継装置を備え、
前記電子機器および前記端末装置は、前記中継装置を介して通信する、請求項１〜請求項８の何れか１項に記載の情報処理システム。
【請求項１０】
前記中継装置が前記文書記憶部を備える、請求項９に記載の情報処理システム。
【請求項１１】
第１のネットワークに接続された端末装置と、第２のネットワークに接続されたサーバ装置と、前記第２のネットワークに接続された電子機器と、前記第１のネットワークと前記第２のネットワークに接続された中継装置と、を備えた情報処理システムであって、
前記端末装置と、前記サーバ装置および前記電子機器と、は前記中継装置を介して通信し、
前記端末装置は、
第１の表示部と、
表示対象の文書データに関する表示画面を前記第１の表示部へ表示する第１の表示制御部と、
前記電子機器を識別する機器識別情報を取得する第１の取得部と、
表示された前記表示画面に含まれる前記文書データの表示形態を示す表示形態情報と、前記表示画面に含まれる前記文書データの文書識別情報と、前記文書データを記憶した文書記憶部としての前記サーバ装置の記憶部識別情報と、前記文書記憶部へアクセスするために用いるユーザ識別情報と、を含む表示情報を、前記機器識別情報によって識別される前記電子機器へ送信する送信部と、
を備え、
前記電子機器は、
第２の表示部と、
前記表示情報を受信する受信部と、
前記表示情報に含まれる前記記憶部識別情報によって識別される前記文書記憶部へ、前記ユーザ識別情報を用いてアクセスし、該文書記憶部から前記文書識別情報によって識別される前記文書データを取得する第２の取得部と、
取得した前記文書データを、前記表示情報に含まれる前記表示形態情報によって示される表示形態で表示した前記表示画面を前記第２の表示部へ表示する第２の表示制御部と、
を備える、
情報処理システム。
【請求項１２】
第１のネットワークに接続された端末装置と、第２のネットワークに接続されたサーバ装置と、第３のネットワークおよび前記第２のネットワークに接続された電子機器と、前記第１のネットワーク、前記第２のネットワーク、および前記第３のネットワークに接続された中継装置と、を備えた情報処理システムであって、
前記端末装置と、前記サーバ装置と、前記電子機器と、は前記中継装置を介して通信し、
前記端末装置は、
第１の表示部と、
表示対象の文書データに関する表示画面を前記第１の表示部へ表示する第１の表示制御部と、
前記電子機器を識別する機器識別情報を取得する第１の取得部と、
表示された前記表示画面に含まれる前記文書データの表示形態を示す表示形態情報と、前記表示画面に含まれる前記文書データの文書識別情報と、前記文書データを記憶した文書記憶部としての前記サーバ装置の記憶部識別情報と、前記文書記憶部へアクセスするために用いるユーザ識別情報と、を含む表示情報を、前記機器識別情報によって識別される前記電子機器へ送信する送信部と、
を備え、
前記電子機器は、
第２の表示部と、
前記表示情報を受信する受信部と、
前記表示情報に含まれる前記記憶部識別情報によって識別される前記文書記憶部へ、前記ユーザ識別情報を用いてアクセスし、該文書記憶部から前記文書識別情報によって識別される前記文書データを取得する第２の取得部と、
取得した前記文書データを、前記表示情報に含まれる前記表示形態情報によって示される表示形態で表示した前記表示画面を前記第２の表示部へ表示する第２の表示制御部と、
を備える、
情報処理システム。
【発明の詳細な説明】
【技術分野】
【０００１】
本発明は、情報処理システムに関する。
【背景技術】
【０００２】
クラウドストレージやファイルサーバなどの記憶装置に記憶されている文書データを、携帯端末などの端末装置で表示することが行われている。例えば、端末装置から記憶装置へユーザ識別情報などを用いてアクセスし、記憶装置に記憶されている文書データを端末装置で読取り、表示することが行われている。
【０００３】
また、端末装置に表示された文書データの表示形態を、ユーザによる端末装置の操作指示に応じて調整する技術も開示されている。また、文書データを用いて各種機能を実行する画像形成装置などの電子機器から、ファイルサーバなどの記憶装置へユーザ識別情報などを用いてアクセスし、該電子機器に文書データを表示し、表示された文書データを用いて各種機能を実行することも行われている。
【発明の概要】
【発明が解決しようとする課題】
【０００４】
しかしながら、従来では、文書データの端末装置における表示形態を、電子機器側で容易に再現することができなかった。
【課題を解決するための手段】
【０００５】
上述した課題を解決するために、情報処理システムは、電子機器と、前記電子機器と通信する端末装置と、を有する情報処理システムである。前記端末装置は、第１の表示部と、表示対象の文書データに関する表示画面を前記第１の表示部へ表示する第１の表示制御部と、前記電子機器を識別する機器識別情報を取得する第１の取得部と、表示された前記表示画面に含まれる前記文書データの表示形態を示す表示形態情報と、前記表示画面に含まれる前記文書データの文書識別情報と、前記文書データを記憶した文書記憶部の記憶部識別情報と、前記文書記憶部へアクセスするために用いるユーザ識別情報と、を含む表示情報を、前記機器識別情報によって識別される前記電子機器へ送信する送信部と、を備える。前記電子機器は、第２の表示部と、前記表示情報を受信する受信部と、前記表示情報に含まれる前記記憶部識別情報によって識別される前記文書記憶部へ、前記ユーザ識別情報を用いてアクセスし、該文書記憶部から前記文書識別情報によって識別される前記文書データを取得する第２の取得部と、取得した前記文書データを、前記表示情報に含まれる前記表示形態情報によって示される表示形態で表示した前記表示画面を前記第２の表示部へ表示する第２の表示制御部と、を備える。
【発明の効果】
【０００６】
本発明によれば、文書データの端末装置における表示形態を、電子機器側で容易に再現することができる。
【図面の簡単な説明】
【０００７】
【図１】図１は、情報処理システムの構成の一例を示す模式図である。
【図２】図２は、端末装置のハードウェア構成の一例を示す模式図である。
【図３】図３は、ＭＦＰのハードウェア構成の一例を示す模式図である。
【図４】図４は、サーバ装置のハードウェア構成の一例を示す模式図である。
【図５】図５は、ローカルネットワーク７Ａに接続された各装置の機能的構成例を示すブロック図である。
【図６】図６は、表示画面の一例を示す模式図である。
【図７】図７は、受付画面の一例を示す模式図である。
【図８】図８は、操作パネルの一例を示す模式図である。
【図９】図９は、表示情報の一例を示す図である。
【図１０】図１０は、終了画面の一例を示す模式図である。
【図１１】図１１は、表示画面の一例を示す模式図である。
【図１２】図１２は、表示・通信処理の全体の流れの一例を示すシーケンス図である。
【図１３】図１３は、表示・通信処理の手順の一例を示すフローチャートである。
【図１４】図１４は、表示・通信処理の手順の一例を示すフローチャートである。
【図１５】図１５は、中継装置のハードウェア構成の一例を示す模式図である。
【図１６】図１６は、互いに異なるネットワークに接続された装置の機能的構成例を示すブロック図である。
【図１７】図１７は、表示・通信処理の全体の流れの一例を示すシーケンス図である。
【発明を実施するための形態】
【０００８】
以下、添付図面を参照しながら、本実施の形態の情報処理システムの実施の形態を詳細に説明する。なお、本明細書において、同じ構成および機能を示す部分には、同じ符号を付与し、詳細な説明を省略する場合がある。
【０００９】
図１は、本実施の形態の情報処理システム１０００の構成の一例を示す模式図である。
【００１０】
本実施の形態の情報処理システム１０００は、端末装置１と、複合機（ＭＦＰ：Ｍｕｌｔｉｆｕｎｃｔｉｏｎ  Ｐｅｒｉｐｈｅｒａｌ（以下、ＭＦＰと称する））ＭＦＰ２と、サーバ装置３と、表示装置５と、中継装置６と、を備える。
【００１１】
端末装置１と、ＭＦＰ２と、サーバ装置３と、中継装置６と、は、ネットワーク７を介して通信可能に接続されている。なお、端末装置１、ＭＦＰ２、サーバ装置３、表示装置５、および中継装置６の少なくとも１つは、無線または有線によりネットワーク７に接続されている。無線により接続する場合、例えば、３Ｇ回線、無線ＬＡＮ、Ｂｌｕｅｔｏｏｔｈ（登録商標）などを用いればよい。
【００１２】
本実施の形態では、ネットワーク７は、互いに異なる複数のネットワークを含む。詳細には、ネットワーク７は、ローカルネットワーク７Ａと、ローカルネットワーク７Ｂと、ローカルネットワーク７Ｄと、ローカルネットワーク７Ｅと、グローバルネットワーク７Ｃと、を含む。
【００１３】
ローカルネットワーク７Ａ、ローカルネットワーク７Ｂ、ローカルネットワーク７Ｄ、およびローカルネットワーク７Ｅは、グローバルネットワーク７Ｃを介して接続されている。
【００１４】
情報処理システム１０００は、端末装置１として、端末装置１Ａと、端末装置１Ｂと、を備える。端末装置１Ａは、ローカルネットワーク７Ａに接続されている。端末装置１Ｂは、グローバルネットワーク７Ｃに接続されている。なお、端末装置１Ａおよび端末装置１Ｂは、接続するネットワーク７が異なる以外は、同様の構成である。また、端末装置１Ａおよび端末装置１Ｂを総称して説明する場合には、単に、端末装置１と称して説明する。
【００１５】
また、情報処理システム１０００は、ＭＦＰ２として、ＭＦＰ２Ａと、ＭＦＰ２Ｂと、ＭＦＰ２Ｄと、ＭＦＰ２Ｅと、を備える。ＭＦＰ２Ａは、ローカルネットワーク７Ａに接続されている。ＭＦＰ２Ｂは、ローカルネットワーク７Ｂに接続されている。ＭＦＰ２Ｄは、サーバ装置３Ｄに接続されている。ＭＦＰ２Ｅは、ローカルネットワーク７Ｅに接続されている。
【００１６】
なお、ＭＦＰ２Ａ、ＭＦＰ２Ｂ、ＭＦＰ２Ｄ、およびＭＦＰ２Ｅは、接続するネットワーク７やネットワーク７への接続形態が異なる以外は、同様の構成である。また、これらのＭＦＰ２Ａ、ＭＦＰ２Ｂ、ＭＦＰ２Ｄ、およびＭＦＰ２Ｅを総称して説明する場合には、単に、ＭＦＰ２と称して説明する。
【００１７】
また、情報処理システム１０００は、サーバ装置３として、サーバ装置３Ａと、サーバ装置３Ｂと、サーバ装置３Ｄと、サーバ装置３Ｅと、を備える。サーバ装置３Ａは、ローカルネットワーク７Ａに接続されている。サーバ装置３Ｂは、ローカルネットワーク７Ｂに接続されている。サーバ装置３Ｄは、ローカルネットワーク７Ｄに接続されている。サーバ装置３Ｅは、ＭＦＰ２Ｅに接続されている。なお、サーバ装置３Ａ、サーバ装置３Ｂ、サーバ装置３Ｄ、およびサーバ装置３Ｅは、接続するネットワーク７やネットワーク７への接続形態が異なる以外は、同様の構成である。また、これらのサーバ装置３Ａ、サーバ装置３Ｂ、サーバ装置３Ｄ、およびサーバ装置３Ｅを総称して説明する場合には、単に、サーバ装置３と称して説明する。
【００１８】
本実施の形態では、情報処理システム１０００における、ローカルネットワーク７Ａで実行する処理を説明する。
【００１９】
ローカルネットワーク７Ａには、サーバ装置３Ａ、ＭＦＰ２Ａ、端末装置１Ａ、および表示装置５が接続されている。本実施の形態では、電子機器を、ＭＦＰ２Ａに適用した形態を一例として説明する。
【００２０】
サーバ装置３Ａは、文書データを記憶するファイルサーバである。文書データとは、文書や画像などを電子化したデータである。サーバ装置３Ａは、文書記憶部に相当する。すなわち、本実施の形態では、文書記憶部をサーバ装置３Ａに適用した形態を一例として説明する。しかし、文書記憶部は、文書データを記憶する機器や装置や媒体であればよく、サーバ装置３Ａに限定されない。
【００２１】
ネットワーク７Ａに接続された他の機器（端末装置１ＡやＭＦＰ２Ａ）は、サーバ装置３にアクセスするために用いるユーザ識別情報（以下、ユーザＩＤと称する）を用いることで、該サーバ装置３Ａにアクセスすることができる。
【００２２】
アクセスする、とは、サーバ装置３Ａなどの文書記憶部内の文書データの一覧の閲覧や、該文書データの閲覧や読取りを行うことを示す。アクセスに用いるユーザＩＤには、予め任意の情報を設定することができる。アクセスに用いるユーザＩＤは、例えば、ユーザ名、パスワード、などであるが、これらに限定されない。
【００２３】
端末装置１Ａは、ユーザによって携帯可能な装置である。端末装置１Ａは、例えば、スマートフォンや、タブレット端末や、携帯電話などである。端末装置１Ａは、文書データの表示機能を有し、且つ、表示された文書データの表示形態をユーザによる操作指示によって変更可能な装置であればよい。
【００２４】
本実施の形態では、端末装置１Ａは、サーバ装置３Ａへアクセスし、サーバ装置３Ａに記憶されている文書データに関する表示画面を表示する。また、端末装置１Ａは、ユーザによる端末装置１Ａの操作指示によって指定された表示形態（詳細後述）で、文書データを表示する。
【００２５】
ＭＦＰ２Ａは、画像形成機能、複写機能、スキャナ機能、およびファクシミリ機能のうち少なくとも１つの機能を有する。本実施の形態では、ＭＦＰ２Ａが、少なくとも画像形成機能を有する場合を一例として説明する。すなわち、本実施の形態では、ＭＦＰ２Ａが、画像を記録媒体に形成する画像形成機能を実行するための画像形成部を、少なくとも有する場合を説明する。また、本実施の形態では、ＭＦＰ２Ａは、端末装置１Ａで表示された文書データに関する表示画面を、端末装置１Ａにおいて表示されていた表示形態で、ＭＦＰ２Ａへ表示する（詳細後述）。
【００２６】
ＭＦＰ２Ａは、電子機器に相当する。すなわち、本実施の形態では、電子機器をＭＦＰ２Ａに適用した形態を一例として説明する。なお、電子機器は、文書データを表示する表示機能と、文書データに対して各種機能に応じた処理を実行する実行機能と、を少なくとも有する機器であればよい。このため、電子機器を、ＭＦＰ２Ａに適用した形態に限定されない。例えば、電子機器はプロジェクタやスキャナ、プリンタ、電子黒板等の機器であっても良い。
【００２７】
次に、端末装置１Ａのハードウェア構成の一例を説明する。図２は、端末装置１Ａのハードウェア構成の一例を示す模式図である。
【００２８】
端末装置１Ａは、操作パネル１１と、外部Ｉ/Ｆ（インターフェース）１２と、読取装置１３と、通信Ｉ/Ｆ１４と、ＣＰＵ（Ｃｅｎｔｒａｌ  Ｐｒｏｃｅｓｓｉｎｇ  Ｕｎｉｔ）１５と、ＲＯＭ（Ｒｅａｄ  Ｏｎｌｙ  Ｍｅｍｏｒｙ）１６と、ＲＡＭ（Ｒａｎｄｏｍ  Ａｃｃｅｓｓ  Ｍｅｍｏｒｙ）１７と、ＳＳＤ（Ｓｏｌｉｄ  Ｓｔａｔｅ  Ｄｒｉｖｅ）１８と、を備える。
【００２９】
操作パネル１１と、外部Ｉ/Ｆ１２と、読取装置１３と、通信Ｉ/Ｆ１４と、ＣＰＵ１５と、ＲＯＭ１６と、ＲＡＭ１７と、ＳＳＤ１８と、は、バス１９を介して相互に接続されている。
【００３０】
ＣＰＵ１５は、端末装置１Ａの動作を統括的に制御する。ＣＰＵ１５は、ＲＡＭ１７をワークエリア（作業領域）とし、ＲＯＭ１６またはＳＳＤ１８などに格納されたプログラムを実行することで、端末装置１Ａ全体の動作を制御し、後述する各種機能部を実現する。
【００３１】
ＳＳＤ１８は、プログラムやデータなどを格納する。なお、端末装置１Ａは、ＳＳＤ１８に代えて、ＨＤＤ（Ｈａｒｄ  Ｄｉｓｋ  Ｄｒｉｖｅ）を備えた構成であってもよい。
【００３２】
操作パネル１１は、ユーザの操作に応じた各種の入力を受付けるとともに、各種の情報や、後述する表示画面などの各種画像を表示する。
【００３３】
本実施の形態では、操作パネル１１は、各種入力の受付を行う受付機能を実現する入力部１１Ａと、各種情報の表示を行う表示機能を実現する表示部１１Ｂと、の双方を一体的に備えたタッチパネルである場合を説明する。しかし、操作パネル１１の構成は、このような構成に限定されない。例えば、操作パネル１１は、入力部１１Ａと、表示部１１Ｂと、を別体として構成してもよい。
【００３４】
外部Ｉ/Ｆ１２は、記録媒体などの外部メモリと通信するためのインターフェースである。
【００３５】
読取装置１３は、識別画像を読取り、読取結果である識別画像データを得る。識別画像は、ＭＦＰ２Ａの機器識別情報（以下、機器ＩＤと称する）を示す画像である。識別画像は、例えば、ＱＲコード（登録商標）などの二次元コードや、バーコードなどの一次元コードや、機器ＩＤを示す文字や記号などである。本実施の形態では、一例として、ＭＦＰ２Ａの識別画像が、ＱＲコードである場合を説明する。
【００３６】
読取装置１３は、例えば、撮影によって画像データを得るデジタルカメラや、ＱＲコードリーダ、バーコードリーダ、公知の文字認識装置、などである。
【００３７】
通信Ｉ/Ｆ１４は、ローカルネットワーク７Ａを介して他の装置や機器と通信するためのインターフェースである。
【００３８】
次に、ＭＦＰ２Ａのハードウェア構成の一例を説明する。図３は、ＭＦＰ２Ａのハードウェア構成の一例を示す模式図である。
【００３９】
ＭＦＰ２Ａは、本体３０と、操作部２０と、を備える。本体３０と操作部２０とは、専用の通信路９を介して相互に通信可能に接続されている。通信路９には、例えば、ＵＳＢ（Ｕｎｉｖｅｒｓａｌ  Ｓｅｒｉａｌ  Ｂｕｓ）規格のものを用いる。なお、通信路９は、有線、無線の何れであってもよい。また、通信路９は、インターネットなどのネットワークや電話回線などであってもよい。操作部２０および本体３０は、ローカルネットワーク７Ａを介して他の装置（端末装置１Ａ、サーバ装置３Ａ）と接続されている。
【００４０】
本体３０は、コピー機能、スキャナ機能、ファクス機能、プリンタ機能などの各種の機能を実現可能な装置である。本体３０は、エンジン部３７と、ＣＰＵ３１と、ＲＯＭ３２と、ＲＡＭ３３と、ＨＤＤ３４と、接続Ｉ／Ｆ３５と、通信Ｉ/Ｆ３６と、エンジン部３７と、を備える。エンジン部３７と、ＣＰＵ３１と、ＲＯＭ３２と、ＲＡＭ３３と、ＨＤＤ３４と、接続Ｉ/Ｆ３５と、通信Ｉ/Ｆ３６と、は、システムバス３８を介して相互に接続されている。
【００４１】
エンジン部３７は、コピー機能、スキャナ機能、ファクス機能、プリンタ機能などの各種の機能を実行する。エンジン部３７は、コピー機能、スキャナ機能、ファクス機能、および、プリンタ機能などの各機能を実現するための、汎用的な情報処理および通信以外の処理を行うハードウェアである。エンジン部３７は、例えば、原稿の画像を読取るスキャナ（画像読取部）、用紙等の記録媒体への印刷を行うプロッタ（画像形成部３７Ａ）、ファクス通信を行うファクス部、などを備えている。
【００４２】
本実施の形態では、ＭＦＰ２Ａのエンジン部３７は、少なくとも画像形成部３７Ａを備える構成である場合を説明する。また、エンジン部３７は、更に、印刷済みシート材を仕分けるフィニッシャや、原稿を自動給送するＡＤＦ（自動原稿給送装置）のような特定のオプションを備えることもできる。
【００４３】
ＣＰＵ３１は、本体３０の動作を統括的に制御する。ＣＰＵ３１は、ＲＡＭ３３をワークエリアとしてＲＯＭ３２またはＨＤＤ３４などに格納されたプログラムを実行することで、本体３０全体の動作を制御する。これにより、ＣＰＵ３１は、エンジン部３７に、上述したコピー機能、スキャナ機能、ファクス機能、プリンタ機能などを実行させる。
【００４４】
接続Ｉ/Ｆ３５は、通信路９を介して操作部２０と通信するためのインターフェースである。通信Ｉ/Ｆ３６は、ローカルネットワーク７Ａを介して、他の装置と通信するためのインターフェースである。
【００４５】
次に、操作部２０について説明する。操作部２０は、ユーザの操作に応じた入力を受付ける。操作部２０は、独自のＯＳ（Ｏｐｅｒａｔｉｎｇ  Ｓｙｓｔｅｍ）と画面遷移機構を有する。本体３０は、操作部２０で受付けた入力に応じた動作を行う。
【００４６】
操作部２０は、ＣＰＵ２１と、ＲＯＭ２２と、ＲＡＭ２３と、フラッシュメモリ２４と、通信Ｉ／Ｆ２５と、接続Ｉ／Ｆ２６と、操作パネル２７と、外部接続Ｉ／Ｆ２９と、を備え、これらがバス２９を介して相互に接続されている。
【００４７】
ＣＰＵ２１は、操作部２０の動作を統括的に制御する。ＣＰＵ２１は、ＲＡＭ２３をワークエリアとしてＲＯＭ２２またはフラッシュメモリ２４などに格納されたプログラムを実行することで、操作部２０全体の動作を制御する。このプログラムの実行により、ＣＰＵ２１は、後述する各種機能を実現する。
【００４８】
接続Ｉ／Ｆ２６は、通信路９を介して本体３０と通信するためのインターフェースである。
【００４９】
操作パネル２７は、ユーザの操作に応じた各種の入力を受付けるとともに、各種の情報や、各種画像を表示する。本実施の形態では、操作パネル２７は、各種入力の受付を行う受付機能を実現する入力部２７Ａと、各種情報の表示を行う表示機能を実現する表示部２７Ｂと、の双方を一体的に備えたタッチパネルである場合を説明する。しかし、操作パネル２７の構成は、このような構成に限定されない。例えば、操作パネル２７は、入力部２７Ａと、表示部２７Ｂと、を別体として構成してもよい。
【００５０】
なお、本実施の形態では、機能の独立性を保つために、本体３０側のＯＳ（オペレーティングシステム）のソフトウェアと操作部２０側のＯＳのソフトウェアが互いに異なる。つまり、本体３０と操作部２０は、別々のオペレーティングシステムで互いに独立して動作する。例えば、本体３０側のＯＳのソフトウェアとしてＬｉｎｕｘ（登録商標）を用い、操作部２０側のＯＳのソフトウェアとしてＡｎｄｒｏｉｄ（登録商標）を用いることも可能である。
【００５１】
以上のように、本実施の形態において、本体３０と操作部２０は別々のオペレーティングシステムで動作する。このため、本体３０と操作部２０との間の通信は、共通の装置内のプロセス間通信ではなく、異なる装置間の通信として行われる。操作部２０が受付けた入力（ユーザからの指示内容）を本体３０へ伝達する処理（コマンド通信）や、本体３０が操作部２０へイベントを通知する処理などがこれに該当する。本実施の形態では、操作部２０が本体３０へコマンド通信を行うことにより、本体３０の機能を使用することができる。また、本体３０から操作部２０に通知するイベントには、本体３０における動作の実行状況、本体３０側で設定された内容などが挙げられる。
【００５２】
また、本実施の形態では、操作部２０に対する電力供給は、本体３０から通信路９を経由して行われる場合を説明する。しかし、操作部２０の電源制御を、本体３０の電源制御とは別に（独立して）行ってもよい。
【００５３】
次に、サーバ装置３Ａのハードウェア構成の一例を説明する。図４は、サーバ装置３Ａのハードウェア構成の一例を示す模式図である。
【００５４】
サーバ装置３Ａは、ＣＰＵ４１と、ＲＯＭ４２と、ＲＡＭ４３と、ＨＤＤ４４と、通信Ｉ/Ｆ４５と、を備え、バス４７を介して相互に接続されている。
【００５５】
ＣＰＵ４１は、サーバ装置３Ａの動作を統括的に制御する。ＣＰＵ４１は、ＲＡＭ４３をワークエリア（作業領域）とし、ＲＯＭ４２またはＨＤＤ４４などに格納されたプログラムを実行することで、サーバ装置３Ａ全体の動作を制御し、後述する各種機能部を実現する。
【００５６】
ＨＤＤ４４は、各種データを格納する。本実施の形態では、サーバ装置３Ａは、文書データを予め格納する。通信Ｉ/Ｆ４５は、ローカルネットワーク７Ａを介して他の装置と通信するためのインターフェースである。
【００５７】
次に、ローカルネットワーク７Ａに接続された各装置（端末装置１Ａ、ＭＦＰ２Ａ、サーバ装置３Ａ）の機能構成を説明する。図５は、ローカルネットワーク７Ａに接続された各装置（端末装置１Ａ、ＭＦＰ２Ａ、サーバ装置３Ａ）の機能的構成例を示すブロック図である。
【００５８】
まず、端末装置１Ａについて説明する。以下では、本実施の形態の端末装置１Ａで実行する表示・通信処理に関する機能を中心に説明する。
【００５９】
端末装置１Ａは、読取装置１３と、操作パネル１１と、制御部５０と、記憶部５２と、を備える。操作パネル１１と、読取装置１３と、記憶部５２と、は、制御部５０にデータや信号を授受可能に接続されている。
【００６０】
記憶部５２は、各種データを記憶する。記憶部５２は、例えば、ＳＳＤ１８（図２参照）などで実現する。本実施の形態では、記憶部５２は、文書データを記憶した文書記憶部の記憶部識別情報（以下、記憶部ＩＤと称する）と、該記憶部ＩＤによって識別される文書記憶部へアクセスするために用いるユーザＩＤと、を対応づけた管理情報５２Ａを予め記憶する。
【００６１】
記憶部ＩＤは、文書データを記憶した文書記憶部を識別するための情報である。文書記憶部は、例えば、ローカルネットワーク７Ａに接続された他の装置（例えば、サーバ装置３Ａ）や当該端末装置１Ａである。記憶部ＩＤは、例えば、文書記憶部のローカルネットワーク７Ａにおけるアドレス（ＩＰアドレス）や、メールアドレスや、機器識別情報などである。
【００６２】
制御部５０は、端末装置１Ａ全体を制御する。制御部５０は、ＣＰＵ１５、ＲＯＭ１６、およびＲＡＭ１７（図２参照）などによって実現する。なお、制御部５０は、回路などによって実現してもよい。
【００６３】
制御部５０は、受付部５０Ａと、表示制御部５０Ｂと、取得部５０Ｃと、送信部５０Ｄと、受信部５０Ｅと、を備える。受付部５０Ａ、表示制御部５０Ｂ、取得部５０Ｃ、送信部５０Ｄ、および受信部５０Ｅの一部または全ては、例えば、ＣＰＵ１５などの処理装置にプログラムを実行させること（すなわちソフトウェア）により実現してもよいし、ＩＣ（Ｉｎｔｅｇｒａｔｅｄ  Ｃｉｒｃｕｉｔ）などのハードウェアにより実現してもよいし、併用して実現してもよい。
【００６４】
受付部５０Ａは、ユーザによる操作指示を示す指示情報を操作パネル１１から受付ける。
【００６５】
表示制御部５０Ｂは、受付部５０Ａで受付けた指示情報に応じて、表示対象の文書データに関する表示画面を、操作パネル１１の表示部１１Ｂへ表示する。
【００６６】
例えば、受付部５０Ａが、表示・通信処理を実行するためのアプリケーションの起動指示を操作パネル１１から受付けたとする。例えば、ユーザは、操作パネル１１（入力部１１Ａ）を操作することで、起動指示を行うための予め定めた表示領域を操作する。すると、操作パネル１１は、表示・通信処理を実行するためのアプリケーションの起動指示を制御部５０へ出力する。
【００６７】
受付部５０Ａが、該アプリケーションの起動指示を受付けると、表示制御部５０Ｂが、管理情報５２Ａに登録されている記憶部ＩＤの一覧を選択可能に表示部１１Ｂへ表示する。
【００６８】
ユーザは、表示部１１Ｂに表示された記憶部ＩＤの一覧から、文書データを取得する対象の文書記憶部の記憶部ＩＤを選択する。例えば、ユーザは、サーバ装置３Ａの記憶部ＩＤを選択する。すると、操作パネル１１は、ユーザによって選択された記憶部ＩＤを、制御部５０へ出力する。受付部５０Ａは、記憶部ＩＤを取得すると、送信部５０Ｄへ出力する。
【００６９】
送信部５０Ｄは、受付部５０Ａから受付けた記憶部ＩＤに対応するユーザＩＤを、管理情報５２Ａから読取る。これによって、送信部５０Ｄは、該記憶部ＩＤによって識別される文書記憶部（例えば、サーバ装置３Ａ）へアクセスするためのユーザＩＤを読取る。
【００７０】
そして、送信部５０Ｄは、読取ったユーザＩＤを用いて、受付部５０Ａから受付けた記憶部ＩＤによって識別される文書記憶部（本実施の形態では、サーバ装置３Ａ）へアクセスし、文書一覧取得要求をサーバ装置３Ａへ送信する。
【００７１】
これによって、受信部５０Ｅは、サーバ装置３Ａに格納されている文書データの一覧を示す文書一覧を、サーバ装置３Ａから受信し、表示制御部５０Ｂへ出力する。
【００７２】
表示制御部５０Ｂは、受信部５０Ｅで受付けた文書一覧を示す表示画面を、操作パネル１１（表示部１１Ｂ）へ表示する制御を行う。図６は、表示部１１Ｂに表示された表示画面５４の一例を示す模式図である。
【００７３】
図６（Ａ）に示す表示画面５４Ａは、サーバ装置３Ａから受信した文書一覧によって示される文書の一覧を示す画面である。
【００７４】
例えば、表示部１１Ｂに表示された文書一覧を示す表示画面５４Ａを参照したユーザが、該表示画面５４Ａに含まれる１つの文書を選択したとする。図５へ戻り、すると、操作パネル１１は、選択された文書の文書データの取得要求を受付部５０Ａへ出力する。
【００７５】
受付部５０Ａは、選択された文書データの取得要求を、送信部５０Ｄへ出力する。送信部５０Ｄは、該選択された文書データの取得要求を、サーバ装置３Ａへ送信する。受信部５０Ｅは、取得要求によって示される文書データをサーバ装置３Ａから受付け、表示制御部５０Ｂへ出力する。
【００７６】
表示制御部５０Ｂは、受信部５０Ｅで受付けた文書データ（すなわち、ユーザによって取得要求された文書データ）を含む表示画面５４を、表示部１１Ｂへ表示する。ユーザは、操作パネル１１（入力部１１Ａ）を操作することで、文書データの表示形態を指示する。表示制御部５０Ｂは、表示対象の文書データに関する表示画面５４を、ユーザによって指示された表示形態で、表示部１１Ｂへ表示する。
【００７７】
表示形態は、端末装置１Ａに表示された文書データの、該端末装置１Ａにおける表示形態を示す。すなわち、表示形態は、端末装置１Ａにおける、文書データの表示状況を示す情報である。
【００７８】
具体的には、表示形態は、表示された文書データの文書の表示サイズ、表示画面における文書の表示位置、文書の表示状態、文書に加えられた加工情報、などを含む。文書の表示状態とは、文書データそのものの表示、文書データの印刷状態をイメージしたプレビュー表示、表示倍率、文書一覧の表示、などである。加工情報とは、文書データに対してユーザによって加えられた情報である。加工情報は、例えば、ユーザによる操作パネル１１（入力部１１Ａ）の操作指示によって入力された、下線などの描画情報や、強調表示や、文字色や、文字サイズ、などである。
【００７９】
図６（Ｂ）は、表示部１１Ｂに表示された、文書データを含む表示画面５４Ｂの一例を示す模式図である。図６（Ｂ）に示す表示画面５４Ｂは、ユーザによる操作パネル１１の操作指示によって、文書データがプレビュー表示された状態となっている。
【００８０】
なお、表示制御部５０Ｂは、１つの表示画面５４を操作パネル１１（表示部１１Ｂ）に表示してもよいし、複数の表示画面５４を表示部１１Ｂへ表示してもよい。すなわち、端末装置１Ａが、複数の表示画面５４を重ねてまたは並べて表示部１１Ｂに表示可能な構成である場合、表示制御部５０Ｂは、複数の表示画面５４を表示部１１Ｂへ表示してもよい。
【００８１】
図６（Ｃ）は、複数の表示画面５４が重ねて表示部１１Ｂに表示された状態の一例を示す模式図である。図６（Ｃ）に示すように、表示制御部５０Ｂは、複数の表示画面５４（表示画面５４Ｃ、表示画面５４Ｄ）を重ねて表示部１１Ｂに表示してもよい。この場合、ユーザによって指示された表示画面５４を、最上位に配置して表示すればよい。
【００８２】
図６（Ｄ）は、複数の表示画面５４を並べて表示部１１Ｂに表示した状態の一例を示す模式図である。図６（Ｄ）に示すように、表示制御部５０Ｂは、複数の表示画面５４（表示画面５４Ｅ、表示画面５４Ｆ）を並べて表示部１１Ｂに表示してもよい。
【００８３】
ここで、表示画面５４の表示部１１Ｂへの表示時には、表示部１１Ｂには転送実行ボタン５６が表示されている。転送実行ボタン５６は、表示部１１Ｂに表示された表示画面５４の、ＭＦＰ２Ａへの転送を指示するためのボタンである。
【００８４】
図５に戻り、ユーザは、入力部１１Ａを操作することで、表示部１１Ｂに表示された表示画面５４の内の１の表示画面５４を選択し、転送実行ボタン５６を指示する。すると、操作パネル１１は、選択された表示画面５４の識別情報と、決定指示と、を含む指示情報を制御部５０へ出力する。
【００８５】
受付部５０Ａは、表示画面５４の識別情報と決定指示とを含む指示情報を操作パネル１１から受付けると、表示制御部５０Ｂへ該指示情報を出力する。
【００８６】
表示制御部５０Ｂは、該指示情報を受付けると、表示画面５４を転送する対象のＭＦＰ２Ａを識別するための機器識別情報（以下、機器ＩＤと称する）を受付けるための受付画面５７を表示部１１Ｂへ表示する（図７参照）。図７は、受付画面５７の一例を示す模式図である。
【００８７】
本実施の形態では、端末装置１Ａは、ＭＦＰ２Ａに表示されたＱＲコードを読取ることによって、機器ＩＤを取得する形態を説明する。このため、表示制御部５０Ｂは、ＱＲコードの読取を促す受付画面５７を表示部１１Ｂへ表示する。
【００８８】
ユーザは、端末装置１Ａに表示した表示画面５４を転送する対象のＭＦＰ２Ａを操作し、ＱＲコードの表示指示を入力する。これにより、ＭＦＰ２Ａは、該ＭＦＰ２Ａの操作パネル２７（図３参照）に、ＱＲコードを含む操作画面を表示する。図８は、ＭＦＰ２Ａの操作パネル２７に表示されたＱＲコード６１の一例を示す模式図である。ユーザによるＭＦＰ２Ａの操作によって、ＭＦＰ２Ａの操作パネル２７には、ＱＲコード６１を含む操作画面６３が表示される。
【００８９】
ユーザは、端末装置１Ａの読取装置１３を、ＭＦＰ２Ａの操作パネル２７に表示されたＱＲコード６１に翳す。これにより、端末装置１Ａの読取装置１３は、ＱＲコード６１を読取り、制御部５０へ出力する。
【００９０】
図５へ戻り、制御部５０の取得部５０Ｃは、機器ＩＤを取得する。取得部５０Ｃは、読取装置１３から、ＱＲコード６１の読取結果として、識別画像データを取得する。そして、取得部５０Ｃは、該ＱＲコード６１（識別画像）の読取結果から、機器ＩＤを取得する。詳細には、取得部５０Ｃは、取得した識別画像データを公知の方法を用いて復号することで、ＱＲコード６１（識別画像）によって示される機器ＩＤを取得する。これによって、取得部５０Ｃは、表示画面５４を転送する対象のＭＦＰ２Ａの機器ＩＤを取得する。
【００９１】
なお、取得部５０Ｃによる機器ＩＤの取得方法は、読取装置１３で読取ったＱＲコード６１を用いる方法に限定されない。例えば、ユーザによる操作パネル１１の操作指示によって、表示画面５４を転送する対象のＭＦＰ２Ａの機器ＩＤを入力してもよい。この場合、受付部５０Ａが、操作パネル１１から機器ＩＤを受け受け、取得部５０Ｃへ出力する。これにより、取得部５０Ｃは、機器ＩＤを取得すればよい。
【００９２】
そして、送信部５０Ｄは、表示情報を、取得部５０Ｃで取得した機器ＩＤによって識別されるＭＦＰ２Ａへ送信する。表示情報は、表示形態情報と、文書ＩＤと、記憶部ＩＤと、ユーザＩＤと、を含む。
【００９３】
表示情報に含まれる表示形態情報は、表示部１１Ｂに表示された文書データの表示形態を示すものである。詳細には、該表示形態情報は、ユーザによって転送実行ボタン５６が操作されたときに、表示部１１Ｂに表示されていた表示画面５４の表示形態を示すものである。なお、表示部１１Ｂに複数の表示画面５４が表示されていた場合、該表示形態情報は、転送実行ボタン５６が操作される直前にユーザによって操作された表示画面５４の表示形態を示す。
【００９４】
表示情報に含まれる文書ＩＤは、該表示情報に含まれる表示形態情報の示す表示画面５４に含まれる文書の、文書データの識別情報である。表示情報に含まれる記憶部ＩＤは、該文書データを記憶した文書記憶部（例えば、サーバ装置３Ａ）の識別情報である。表示情報に含まれるユーザＩＤは、該表示情報に含まれる記憶部ＩＤによって識別される文書記憶部（サーバ装置３Ａ）へアクセスするために用いる情報である。
【００９５】
すなわち、送信部５０Ｄは、転送実行ボタン５６が操作される直前に表示部１１Ｂに表示されていた表示画面５４を、他の機器で再現するために必要な情報を含む表示情報を、該表示画面５４を転送する対象のＭＦＰ２Ａへ送信する。
【００９６】
図９には、表示情報５５の一例を示した。図９に示す例では、表示情報５５は、表示形態情報としてプレビュー表示を示す“ｐｒｅｖｉｅｗ”、文書ＩＤ“ｔｅｓｔｄｏｃ．ｐｄｆ”、表示形態情報としての表示ページ“１”、表示形態情報としての表示倍率“１００”％、表示形態情報としてのｘ軸方向およびｙ軸方向の表示位置“０”“０”、を含む。また、表示情報５５は、記憶部ＩＤ“１９２．１６８．１００．１”、ユーザＩＤとしてのユーザ名“ｕｓｅｒｉｄ”、ユーザＩＤとしてのパスワード“ｕｓｅｒｐａｓｓｗｏｒｄ”、を含む。
【００９７】
図５へ戻り、送信部５０Ｄが表示情報のＭＦＰ２Ａへの送信を完了すると、表示制御部５０Ｂは、送信完了を示す終了画面を表示部１１Ｂへ表示することが好ましい。図１０は、終了画面５９の一例を示す模式図である。
【００９８】
表示制御部５０Ｂは、終了画面５９の表示時には、中止ボタン５３をあわせて表示することが好ましい。中止ボタン５３は、ＭＦＰ２Ａにおける表示画面５４の表示の中止を指示するためのボタン画像である。ユーザが、中止ボタン５３を操作指示すると、操作パネル１１は、中止情報を制御部５０へ出力する。すると、送信部５０Ｄは、直前にＭＦＰ２Ａへ送信した表示情報に応じた表示画面５４の中止を示す中止情報を、該ＭＦＰ２Ａへ送信する。
【００９９】
次に、サーバ装置３Ａの機能的構成を説明する。サーバ装置３Ａは、制御部６６と、記憶部６８と、を備える。制御部６６と記憶部６８とは、データや信号を授受可能に接続されている。
【０１００】
記憶部６８は、各種データを記憶する。本実施の形態では、記憶部６８は、文書データを予め記憶する。すなわち、本実施の形態では、サーバ装置３Ａの記憶部６８が、文書記憶部として機能する。
【０１０１】
制御部６６は、サーバ装置３Ａ全体を制御する。制御部６６は、ＣＰＵ４１、ＲＯＭ４２、およびＲＡＭ４３（図４参照）などによって実現する。なお、制御部６６は、回路などによって実現してもよい。
【０１０２】
制御部６６は、通信部６６Ａと、通信制御部６６Ｂと、を備える。通信部６６Ａおよび通信制御部６６Ｂの一部または全ては、例えば、ＣＰＵ４１などの処理装置にプログラムを実行させること（すなわちソフトウェア）により実現してもよいし、ＩＣなどのハードウェアにより実現してもよいし、併用して実現してもよい。
【０１０３】
サーバ装置３Ａは、ローカルネットワーク７Ａを介して他の装置とデータ授受を行う。本実施の形態では、通信部６６Ａは、ローカルネットワーク７Ａを介して他の装置から、ユーザＩＤおよび文書一覧取得要求や、ユーザＩＤおよび文書データ取得要求などを受信する。
【０１０４】
通信制御部６６Ｂは、受付けたユーザＩＤが当該サーバ装置３Ａへのアクセスを許可するユーザＩＤである場合、記憶部６８に記憶されている文書データの一覧を示す文書一覧を、通信部６６Ａを介して、該ユーザＩＤの送信元の装置（例えば、端末装置１Ａ）へ送信する。
【０１０５】
また、通信制御部６６Ｂは、受付けたユーザＩＤが当該サーバ装置３Ａへのアクセスを許可するユーザＩＤである場合、受付けた文書データ取得要求によって示される文書データを記憶部６８から読取り、該ユーザＩＤの送信元の装置（例えば、端末装置１ＡやＭＦＰ２Ａ）へ送信する。
【０１０６】
次に、ＭＦＰ２Ａの機能的構成を説明する。
【０１０７】
ＭＦＰ２Ａは、操作パネル２７と、制御部６０と、制御部６２と、記憶部６４と、エンジン部３７と、を備える。操作パネル２７および記憶部６４は、制御部６０にデータや信号を授受可能に接続されている。制御部６０と制御部６２とは、データや信号を授受可能に接続されている。制御部６２とエンジン部３７とは、データや信号を授受可能に接続されている。なお、操作パネル２７、制御部６０、および記憶部６４は、操作部２０に設けられている。また、制御部６２およびエンジン部３７は、本体３０に設けられている。
【０１０８】
記憶部６４は、各種データを記憶する。記憶部６４は、例えば、フラッシュメモリ２４などで実現する。制御部６０は、操作部２０を制御する。制御部６０は、ＣＰＵ２１、ＲＯＭ２２、ＲＡＭ２３などによって実現される。なお、制御部６０を、回路などによって実現してもよい。
【０１０９】
制御部６０は、受信部６０Ａと、取得部６０Ｂと、表示制御部６０Ｃと、受付部６０Ｄと、判断部６０Ｅと、送信部６０Ｆと、を備える。受信部６０Ａ、取得部６０Ｂ、表示制御部６０Ｃ、受付部６０Ｄ、判断部６０Ｅ、および送信部６０Ｆの一部または全ては、例えば、ＣＰＵ２１などの処理装置にプログラムを実行させること（すなわちソフトウェア）により実現してもよいし、ＩＣなどのハードウェアにより実現してもよいし、併用して実現してもよい。
【０１１０】
受信部６０Ａは、端末装置１Ａから表示情報を受信する。
【０１１１】
取得部６０Ｂは、表示情報に含まれる記憶部ＩＤによって識別される文書記憶部へ、表示情報に含まれるユーザＩＤを用いてアクセスする。本実施の形態では、取得部６０Ｂは、記憶部ＩＤは、サーバ装置３Ａを示す場合を説明する。このため、本実施の形態では、取得部６０Ｂは、表示情報に含まれる記憶部ＩＤによって識別されるサーバ装置３Ａへ、表示情報に含まれるユーザＩＤを用いてアクセスする。
【０１１２】
そして、取得部６０Ｂは、該文書記憶部（サーバ装置３Ａ）から、表示情報に含まれる文書ＩＤによって識別される文書データを取得する。
【０１１３】
表示制御部６０Ｃは、取得部６０Ｂで取得した文書データを、端末装置１Ａから受付けた表示情報に含まれる表示形態情報によって示される表示形態で表示した表示画面５４を、ＭＦＰ２Ａの表示部２７Ｂへ表示する。
【０１１４】
例えば、端末装置１Ａから受付けた表示情報が、図９に示す表示情報５５であったと仮定する。この場合、取得部６０Ｂは、記憶部ＩＤ“１９２．１６８．１００．１”によって識別されるサーバ装置３Ａへ、ユーザＩＤとしてのユーザ名“ｕｓｅｒｉｄ”、ユーザＩＤとしてのパスワード“ｕｓｅｒｐａｓｓｗｏｒｄ”を用いてアクセスする。そして、取得部６０Ｂは、文書ＩＤ“ｔｅｓｔｄｏｃ．ｐｄｆ”によって識別される文書データを取得する。
【０１１５】
そして、表示制御部６０Ｃは、該文書ＩＤ“ｔｅｓｔｄｏｃ．ｐｄｆ”によって識別される文書データの“１”ページを、表示倍率“１００”％で、ｘ軸方向およびｙ軸方向の表示位置“０”“０”の表示位置に、プレビュー表示した表示画面５４を、ＭＦＰ２Ａの表示部２７Ｂへ表示する。
【０１１６】
このため、ＭＦＰ２Ａの表示部２７Ｂには、端末装置１Ａ側で表示されていた文書データが、該端末装置１Ａで表示された表示形態で表示される。すなわち、端末装置１Ａにおける表示形態が、ＭＦＰ２Ａ側で容易に再現されて表示される。
【０１１７】
図１１は、表示部２７Ｂに表示された表示画面５４の一例を示す模式図である。図１１に示すように、ＭＦＰ２Ａの表示部２７Ｂには、端末装置１Ａ側で表示されていた文書データが、該端末装置１Ａで表示された表示形態で表示される。
【０１１８】
このため、ユーザは、操作パネル２７を視認することで、端末装置１Ａに表示されていた表示形態で表示された文書データを、ＭＦＰ２Ａで確認することができる。また、ユーザは、操作パネル２７を操作することで、表示画面５４に含まれる文書データについて、該ＭＦＰ２Ａの機能を実行させることができる。例えば、ＭＦＰ２Ａは、画像形成部３７Ａを用いて、表示画面５４に表示された文書データの記録媒体への印刷を実行することができる。
【０１１９】
受付部６０Ｄは、ユーザによる操作パネル２７の操作指示を示す指示情報を受付ける。例えば、ユーザによる操作パネル２７の操作指示によって、文書データに対する印刷実行条件が入力される場合がある。この場合、受付部６０Ｄは、印刷実行条件を操作パネル２７から受付け、印刷実行条件と文書データを、本体３０の制御部６２へ出力する。
【０１２０】
制御部６２は、エンジン制御部６２Ａを備える。エンジン制御部６２Ａは、エンジン部３７を制御する。エンジン制御部６２Ａは、制御部６０から印刷実行条件と文書データを受付けると、エンジン部３７へ出力する。エンジン部３７は、受付けた印刷実行条件で、受付けた文書データを記録媒体へ印刷する。
【０１２１】
このため、ＭＦＰ２Ａは、表示画面５４に表示された文書データを、操作パネル２７で受付けた印刷実行条件で、記録媒体に印刷することができる。すなわち、ＭＦＰ２Ａは、端末装置１Ａに表示された文書データを、ＭＦＰ２Ａで実行可能な実行条件で処理することができる。
【０１２２】
なお、ユーザによる操作パネル２７の操作指示などによって、表示画面５４に含まれる文書データの表示形態の変更が指示される場合がある。例えば、表示倍率の変更や、表示された文書データの回転表示などが指示される場合がある。この場合、受付部６０Ｄは、表示形態変更指示を示す指示情報を操作パネル２７から受付ける。表示形態変更指示は、変更後の表示形態を示す表示形態情報を含む。
【０１２３】
表示制御部６０Ｃは、表示形態変更指示によって示される表示形態となるように、表示部２７Ｂに表示された表示画面５４に含まれる文書データの表示形態を変更する。なお、ユーザによる操作パネル２７の操作指示によって、表示画面５４の確定を示す確定指示が入力された場合、受付部６０Ｄは、確定指示を操作パネル２７から受付ける。
【０１２４】
すると、送信部６０Ｆは、変更された表示画面５４に含まれる文書データの表示形態を示す表示形態情報と、該文書データの文書ＩＤと、該文書データを記憶した文書記憶部（サーバ装置３Ａ）の記憶部ＩＤと、該文書記憶部へアクセスするために用いるユーザＩＤと、を含む表示情報を、端末装置１Ａへ送信する。
【０１２５】
このため、端末装置１Ａでは、ＭＦＰ２Ａから受信した表示情報を用いて、ＭＦＰ２Ａの表示制御部６０Ｃと同様にして表示画面５４を端末装置１Ａの操作パネル１１へ表示することができる。このため、端末装置１Ａは、ＭＦＰ２Ａへ送信した表示情報に応じた表示画面５４の表示形態がＭＦＰ２Ａ側で変更された場合、変更後の表示形態の表示画面５４を、端末装置１Ａ側で再現して表示することができる。すなわち、本実施の形態の情報処理システム１０００では、ＭＦＰ２Ａにおける文書データの表示形態を、端末装置１Ａ側で容易に再現することもできる。
【０１２６】
図５に戻り、ＭＦＰ２Ａの判断部６０Ｅは、表示情報に応じた表示画面５４の操作パネル２７（表示部２７Ｂ）への表示を中止するか否かを判断する。
【０１２７】
判断部６０Ｅは、例えば、受信部６０Ａで端末装置１Ａから表示情報を受信してから予め定めた時間を経過した場合に、表示画面５４の表示を中止すると判断する。
【０１２８】
また、判断部６０Ｅは、受信部６０Ａで端末装置１Ａから中止情報を受信したときに、表示画面５４の表示を中止すると判断してもよい。端末装置１Ａでは、上述したように、ユーザによる操作パネル１１の操作指示によって、中止ボタン５３（図１０参照）が指示されたときに、中止情報をＭＦＰ２Ａへ送信する。ＭＦＰ２Ａの判断部６０Ｅは、この中止情報を受信したときに、表示画面５４の表示を中止すると判断してもよい。
【０１２９】
なお、端末装置１Ａは、中止情報の送信ではなく、中止ボタンが押されるまで等、表示を継続する場合に表示指示を定期的に送信するように構成してもよい。そしてＭＦＰ２Ａの判断部６０Ｅは、端末装置１Ａから表示指示が定期的に送信されている間は表示を継続すると判断し、端末装置１Ａから所定の時間表示指示が送信視されなかったとき、表示を中止すると判断してもよい。
【０１３０】
また、端末装置１Ａの送信部５０Ｄは、表示情報をＭＦＰ２Ａへ送信した後に、該送信から所定時間の間、表示画面５４の表示継続を示す継続情報を繰り返し送信してもよい。そして、該所定時間を経過した後は、送信部５０Ｄは、該継続情報の送信をやめるようにすればよい。そして、ＭＦＰ２Ａの判断部６０Ｅは、受信部６０Ａで該継続情報を予め定めた時間以上受信しない場合、表示画面５４の表示部２７Ｂへの表示を中止すると判断してもよい。
【０１３１】
判断部６０Ｅが、表示画面５４の表示を中止すると判断した場合、表示制御部６０Ｃは、表示部２７Ｂへの表示画面５４の表示を中止する。なお、端末装置１Ａから受信した表示情報を記憶部６４などに記憶した場合、判断部６０Ｅは、端末装置１Ａから受信した表示情報を記憶部６４から削除する。このため、ＭＦＰ２Ａからサーバ装置３Ａへのアクセスが継続されることが抑制される。
【０１３２】
次に、ローカルネットワーク７Ａに接続された端末装置１Ａ、ＭＦＰ２Ａ、およびサーバ装置３Ａが実行する表示・通信処理の全体の流れの一例を説明する。図１２は、情報処理システム１０００が実行する表示・通信処理の全体の流れの一例を示すシーケンス図である。
【０１３３】
まず、端末装置１Ａの受付部５０Ａが、表示・通信処理を実行するためのアプリケーションの起動指示を操作パネル１１から受付ける。すると、端末装置１Ａの制御部５０が、表示・通信処理を実行するためのアプリケーションを起動する（ＳＥＱ１００）。これにより、図５に示す各機能部（受付部５０Ａ、表示制御部５０Ｂ、取得部５０Ｃ、送信部５０Ｄ、受信部５０Ｅ）が実現される。
【０１３４】
次に、表示制御部５０Ｂが、管理情報５２Ａに登録されている記憶部ＩＤの一覧を選択可能に表示部１１Ｂへ表示する。ユーザは、表示部１１Ｂに表示された記憶部ＩＤの一覧から、文書データを取得する対象の文書記憶部の記憶部ＩＤを選択する。すると、端末装置１Ａの送信部５０Ｄが、選択された記憶部ＩＤに対応するユーザＩＤを、管理情報５２Ａから読取る。そして、送信部５０Ｄは、読取ったユーザＩＤを用いて、受付部５０Ａから受付けた記憶部ＩＤによって識別される文書記憶部（本実施の形態では、サーバ装置３Ａ）へアクセスし、文書一覧取得要求をサーバ装置３Ａへ送信する（ＳＥＱ１０２）。
【０１３５】
サーバ装置３Ａは、文書一覧取得要求を受信すると、サーバ装置３Ａの記憶部６８に格納されている文書データの一覧を示す文書一覧を、端末装置１Ａへ送信する（ＳＥＱ１０４）。
【０１３６】
端末装置１Ａの表示制御部５０Ｂは、ＳＥＱ１０４でサーバ装置３Ａから受付けた文書一覧を示す表示画面５４を、操作パネル１１（表示部１１Ｂ）へ表示する制御を行う（ＳＥＱ１０６）。
【０１３７】
ユーザが、該表示画面５４に含まれる１つの文書を選択したとする。すると、端末装置１Ａの送信部５０Ｄは、該選択された文書データの取得要求を、サーバ装置３Ａへ送信する（ＳＥＱ１０８）。サーバ装置３Ａの通信制御部６６Ｂは、文書データ取得要求に示される文書データを、記憶部６８から読取、端末装置１Ａへ送信する（ＳＥＱ１１０）。
【０１３８】
端末装置１Ａの表示制御部５０Ｂは、サーバ装置３Ａから受付けた文書データを含む表示画面５４を、表示部１１Ｂへ表示する（ＳＥＱ１１２）。ユーザは、操作パネル１１（入力部１１Ａ）を操作することで、文書データの表示形態を指示する。端末装置１Ａの受付部５０Ａがユーザによる操作を受付けると（ＳＥＱ１１４）、受付けた操作によって示される表示形態で、文書データを表示部１１Ｂへ表示する（ＳＥＱ１１６）。
【０１３９】
例えば、端末装置１Ａの受付部５０Ａが、文書データの表示サイズの拡大または縮小の操作を受付けると、受付けた操作に応じて、端末装置１Ａの表示制御部５０Ｂが文書データの表示サイズを拡大または縮小して端末装置の表示部１１Ｂへ表示する。
【０１４０】
ユーザは、入力部１１Ａを操作することで、表示部１１Ｂに表示された表示画面５４の内の１の表示画面５４を選択し、転送実行ボタン５６を指示する。すると、操作パネル１１は、選択された表示画面５４の識別情報と、決定指示と、を含む指示情報を制御部５０へ出力する。つまり、決定指示受付処理は、端末装置の受付部５０Ａが、ＭＦＰ２Ａへ画面を転送する指示を受付ける処理ともいえる。
【０１４１】
そして、端末装置１Ａの受付部５０Ａは、ユーザによる転送実行ボタン５６の指示によって、決定指示を含む指示情報を受付けると（ＳＥＱ１１８）、機器ＩＤを受付けるための受付画面５７を表示部１１Ｂへ表示する（図７参照）。
【０１４２】
ユーザは、端末装置１Ａに表示した表示画面５４を表示させる対象のＭＦＰ２Ａを操作し、ＱＲコードの表示指示を入力する。ＭＦＰ２Ａの受付部６０Ｄは、表示指示を受付けると（ＳＥＱ１２０）、ＭＦＰ２Ａの操作パネル２７に、ＱＲコード６１を含む操作画面６３を表示する（ＳＥＱ１２２）（図８参照）。
【０１４３】
ユーザは、端末装置１Ａの読取装置１３を、ＭＦＰ２Ａの操作パネル２７に表示されたＱＲコード６１に翳す。これにより、端末装置１Ａの読取装置１３は、ＱＲコード６１を撮影によって読取る（ＳＥＱ１２４）。
【０１４４】
そして、端末装置１Ａの取得部５０Ｃは、該ＱＲコード６１の読取結果から、機器ＩＤを取得する（ＳＥＱ１２６）。
【０１４５】
次に、端末装置１Ａの送信部５０Ｄが、表示情報を、ＳＥＱ１２６で取得した機器ＩＤによって識別されるＭＦＰ２Ａへ送信する（ＳＥＱ１２８）。
【０１４６】
ＭＦＰ２Ａの取得部６０Ｂは、ＳＥＱ１２８で端末装置１Ａから受信した表示情報に含まれる記憶部ＩＤによって識別される文書記憶部（サーバ装置３Ａ）へ、表示情報に含まれるユーザＩＤを用いてアクセスする。そして、取得部６０Ｂは、該表示情報に含まれる文書ＩＤによって識別される文書データの取得要求を、サーバ装置３Ａへ送信する（ＳＥＱ１３０）。そして、取得部６０Ｂは、該サーバ装置３Ａから、該表示情報に含まれる文書ＩＤによって識別される文書データを取得する（ＳＥＱ１３２）。
【０１４７】
ＭＦＰ２Ａの表示制御部６０Ｃは、ＳＥＱ１３２で取得した文書データを、ＳＥＱ１２８で端末装置１Ａから受付けた表示情報に含まれる表示形態情報によって示される表示形態で表示した表示画面５４を、ＭＦＰ２Ａの表示部２７Ｂへ表示する（ＳＥＱ１３４）。
【０１４８】
このため、ＭＦＰ２Ａの表示部２７Ｂには、端末装置１Ａ側で表示されていた文書データが、該端末装置１Ａで表示された表示形態で表示される。
【０１４９】
ユーザによるＭＦＰ２Ａの操作パネル２７の操作指示によって、操作パネル２７に表示した表示画面５４に含まれる文書データの表示形態の変更が指示される場合がある。この場合、ＭＦＰ２Ａの受付部６０Ｄは、表示形態変更指示を示す指示情報を操作パネル２７から受付ける（ＳＥＱ１３６）。
【０１５０】
ＭＦＰ２Ａの表示制御部６０Ｃは、ＳＥＱ１３６で受付けた表示形態変更指示によって示される表示形態となるように、ＳＥＱ１３４で表示部２７Ｂに表示した表示画面５４に含まれる文書データの表示形態を変更する。そして、ＭＦＰ２Ａの表示制御部６０Ｃは、文書データを変更後の表示形態で表示した表示画面５４を、表示部２７Ｂに表示する（ＳＥＱ１３８）。
【０１５１】
なお、ユーザによる操作パネル２７の操作指示によって、表示画面５４の確定を示す確定指示が入力された場合、受付部６０Ｄは、確定指示を操作パネル２７から受付ける。すると、ＭＦＰ２Ａの送信部６０Ｆは、変更された表示画面５４に含まれる文書データの表示形態を示す表示形態情報を含む表示情報を、ＳＥＱ１２８の表示情報の送信元の端末装置１Ａへ送信する（ＳＥＱ１４０）。
【０１５２】
このため、端末装置１Ａの表示制御部５０Ｂでは、ＭＦＰ２Ａから受信した表示情報を用いて、ＭＦＰ２Ａの表示制御部６０Ｃと同様にして表示画面５４を端末装置１Ａの操作パネル１１へ表示する（ＳＥＱ１４２）。このため、端末装置１Ａは、ＭＦＰ２Ａへ送信した表示情報に応じた表示画面５４の表示形態がＭＦＰ２Ａ側で変更された場合、変更後の表示形態の表示画面５４を、端末装置１Ａ側で再現して表示することができる。
【０１５３】
一方、ＭＦＰ２Ａの判断部６０Ｅは、表示情報に応じた表示画面５４の操作パネル２７（表示部２７Ｂ）への表示を中止するか否かを判断する（ＳＥＱ１４４）。そして、判断部６０Ｅが、表示画面５４の表示を中止すると判断した場合、表示制御部６０Ｃは、表示部２７Ｂへの表示画面５４の表示を中止する（ＳＥＱ１４６）。なお、ＳＥＱ１２８で端末装置１Ａから受信した表示情報を記憶部６４などに記憶した場合、判断部６０Ｅは、表示情報を記憶部６４から削除する。
【０１５４】
これによって、ＭＦＰ２Ａ側で、サーバ装置３Ａにアクセス可能な状態が維持されることが抑制される。
【０１５５】
次に、端末装置１Ａの制御部５０で実行する、表示・通信処理の手順の一例を説明する。図１３は、端末装置１Ａの制御部５０で実行する、表示・通信処理の手順の一例を示すフローチャートである。
【０１５６】
まず、受付部５０Ａが、表示・通信処理を実行するためのアプリケーションの起動指示を操作パネル１１から受付けたか否かを判断する（ステップＳ２００）。ステップＳ２００で否定判断すると（ステップＳ２００：Ｎｏ）、本ルーチンを終了する。ステップＳ２００で肯定判断すると（ステップＳ２００：Ｙｅｓ）、ステップＳ２０２へ進む。
【０１５７】
ステップＳ２０２では、表示制御部５０Ｂが、記憶部ＩＤの受付画面を表示部１１Ｂへ表示する（ステップＳ２０２）。詳細には、表示制御部５０Ｂは、管理情報５２Ａに登録されている記憶部ＩＤの一覧を選択可能に示す受付画面を、表示部１１Ｂへ表示する。
【０１５８】
次に、受付部５０Ａが、操作パネル１１から記憶部ＩＤを受付けるまで否定判断を繰り返す（ステップＳ２０４：Ｎｏ）。受付部５０Ａが、操作パネル１１から記憶部ＩＤを受付けると（ステップＳ２０４：Ｙｅｓ）、ステップＳ２０６へ進む。
【０１５９】
ステップＳ２０６では、送信部５０Ｄが、ステップＳ２０４で受付けた記憶部ＩＤによって識別される文書記憶部（例えば、サーバ装置３Ａ）へアクセスし、該サーバ装置３Ａへ文書一覧取得要求を送信する（ステップＳ２０６）。なお、送信部５０Ｄは、サーバ装置３Ａの記憶部ＩＤに対応するユーザＩＤを管理情報５２Ａ（図５参照）から読取り、該ユーザＩＤを用いてアクセスすればよい。
【０１６０】
そして、受信部５０Ｅが、該サーバ装置３Ａから、文書一覧を受信するまで否定判断を繰り返す（ステップＳ２０８：Ｎｏ）。
【０１６１】
サーバ装置３Ａから文書一覧を受信すると（ステップＳ２０８：Ｙｅｓ）、表示制御部５０Ｂが、ステップＳ２０８で受信した文書一覧を示す表示画面５４を、操作パネル１１（表示部１１Ｂ）へ表示する制御を行う（ステップＳ２１０）。例えば、表示部１１Ｂには、図６（Ａ）に示す表示画面５４Ａが表示される。
【０１６２】
次に、受付部５０Ａが、文書データの選択を受付けるまで否定判断を繰り返す（ステップＳ２１２：Ｎｏ）。受付部５０Ａは、ユーザによる操作パネル１１の操作指示によって指示された文書の、文書データの取得要求を操作パネル１１から受付けたか否かを判別することによって、ステップＳ２１２の判断を行う。
【０１６３】
ステップＳ２１２で肯定判断すると（ステップＳ２１２：Ｙｅｓ）、ステップＳ２１４へ進む。ステップＳ２１４では、送信部５０Ｄが、ステップＳ２１２で受付けた、選択された文書データの取得要求を、ステップＳ２０４で受付けた記憶部ＩＤによって識別される文書記憶部（サーバ装置３Ａ）へ送信する。
【０１６４】
次に、受信部５０Ｅは、サーバ装置３Ａから、文書データを受信するまで否定判断を繰り返す（ステップＳ２１６：Ｎｏ）。サーバ装置３Ａから文書データを受信すると（ステップＳ２１６：Ｙｅｓ）、ステップＳ２１８へ進む。
【０１６５】
次に、表示制御部５０Ｂが、当該端末装置１Ａの表示部１１Ｂが、複数の表示画面５４を表示可能であるか否かを判断する（ステップＳ２１８）。例えば、表示制御部５０Ｂは、表示部１１Ｂが、複数の表示画面５４を表示可能なサイズであるか否かを判別することで、ステップＳ２１８の判断を行う。なお、表示制御部５０Ｂは、当該表示制御部５０Ｂで、複数の表示画面５４を表示部１１Ｂへ表示するための制御を行うことが可能であるか否かを判別することで、ステップＳ２１８の判断を行ってもよい。
【０１６６】
複数の表示画面５４を表示可能であると判断した場合（ステップＳ２１８：Ｙｅｓ）、ステップＳ２２０へ進む。ステップＳ２２０では、表示制御部５０Ｂは、既に表示部１１Ｂに表示されている表示画面５４上に重ねて、ステップＳ２１６で受信した文書データに関する表示画面５４を表示する（ステップＳ２２０）。そして、ステップＳ２２４へ進む。
【０１６７】
一方、１つの表示画面５４のみ表示可能であると判断した場合（ステップＳ２１８：Ｎｏ）、ステップＳ２２２へ進む。ステップＳ２２２では、表示制御部５０Ｂは、既に表示部１１Ｂに表示されている表示画面５４に代えて、ステップＳ２１６で受信した文書データに関する表示画面５４を表示する（ステップＳ２２２）。そして、ステップＳ２２４へ進む。
【０１６８】
ステップＳ２２４では、受付部５０Ａが、表示形態変更指示を操作パネル１１から受付けたか否かを判断する（ステップＳ２２４）。ユーザは、ステップＳ２２０またはステップＳ２２２で表示部１１Ｂに表示された表示画面５４に含まれる文書データについて、操作パネル１１（入力部１１Ａ）を操作することで、文書データの表示形態を指示する。
【０１６９】
例えば、ユーザは、操作パネル１１（入力部１１Ａ）を操作することで、文書データの文書の表示サイズ、表示画面５４における文書の表示位置、文書の表示状態、文書に加えられた加工情報、などを入力する。例えば、ユーザは、下線などの描画情報の入力や強調表示などを指示することで、加工情報を入力する。
【０１７０】
そして、文書データの文書の表示サイズ、表示画面５４における文書の表示位置、文書の表示状態、文書に加えられた加工情報、などによって示される表示形態の変更指示を受付けると（ステップＳ２２４：Ｙｅｓ）、ステップＳ２２６へ進む。
【０１７１】
ステップＳ２２６では、表示制御部５０Ｂが、表示中の文書データの文書の表示形態を、ステップＳ２２４で受付けた表示形態変更指示によって示される表示形態に変更する（ステップＳ２２６）。そして、表示制御部５０Ｂは、ステップＳ２１６で受信した文書データを、変更後の表示形態で表示した表示画面５４を、表示部１１Ｂへ表示する（ステップＳ２２８）。そして、ステップＳ２３０へ進む。
【０１７２】
なお、上記ステップＳ２２４で否定判断した場合についても（ステップＳ２２４：Ｎｏ）、ステップＳ２３０へ進む。
【０１７３】
次に、受付部５０Ａが、操作パネル１１から決定指示を含む指示情報を受付けたか否かを判断する（ステップＳ２３０）。ユーザは、入力部１１Ａを操作することで、表示部１１Ｂに表示された表示画面５４の内の１の表示画面５４を選択し、転送実行ボタン５６を指示する。すると、操作パネル１１は、選択された表示画面５４の識別情報と、決定指示と、を含む指示情報を制御部５０へ出力する。受付部５０Ａは、表示画面５４の識別情報と決定指示とを含む指示情報を操作パネル１１から受付けたか否かを判別することで、ステップＳ２３０の判断を行う。
【０１７４】
ステップＳ２３０で否定判断すると（ステップＳ２３０：Ｎｏ）、上記ステップＳ２２４へ戻る。ステップＳ２３０で肯定判断すると、ステップＳ２３２へ進む。
【０１７５】
ステップＳ２３２では、表示制御部５０Ｂが、表示画面５４を転送する対象のＭＦＰ２Ａを識別するための機器ＩＤを受付けるための受付画面５７を表示部１１Ｂへ表示する（ステップＳ２３２）。例えば、表示部１１Ｂには、図７に示す受付画面５７が表示される。
【０１７６】
そして、ユーザは、端末装置１Ａに表示した表示画面５４を転送する対象のＭＦＰ２Ａを操作し、ＱＲコードの表示指示を入力する。これにより、ＭＦＰ２Ａは、該ＭＦＰ２Ａの操作パネル２７（図３参照）に、ＱＲコード６１を含む操作画面６３を表示する。
【０１７７】
ユーザは、端末装置１Ａの読取装置１３を、ＭＦＰ２Ａの操作パネル２７に表示されたＱＲコード６１に翳す。これにより、端末装置１Ａの読取装置１３は、ＱＲコード６１を読取り、制御部５０へ出力する。
【０１７８】
端末装置１Ａの取得部５０Ｃは、読取装置１３がＱＲコード６１を読取ったと判断するまで、否定判断（ステップＳ２３４：Ｎｏ）を繰り返す。取得部５０Ｃは、読取装置１３がＱＲコード６１を読取ったと判断すると（ステップＳ２３４：Ｙｅｓ）、ステップＳ２３６へ進む。取得部５０Ｃは、ＱＲコード６１の読取結果として、ＱＲコード６１の識別画像データを読取装置１３から受付けたか否かを判別することで、ステップＳ２３４の判断を行う。
【０１７９】
ステップＳ２３６では、取得部５０Ｃが、ステップＳ２３４で受付けた、ＱＲコード６１の読取結果である識別画像データから、機器ＩＤを取得する（ステップＳ２３６）。
【０１８０】
次に、送信部５０Ｄが、ステップＳ２３６で取得した機器ＩＤによって識別されるＭＦＰ２Ａへ、表示情報を送信する（ステップＳ２３８）。
【０１８１】
ステップＳ２３８でＭＦＰ２Ａへ送信される表示情報には、ステップＳ２３０で指示情報を受付けたときに表示部１１Ｂに表示されていた表示画面５４の表示形態情報が含まれる。なお、表示部１１Ｂに複数の表示画面５４が表示されていた場合、表示情報には、ステップＳ２３０で決定指示を受付ける直前にユーザによって操作された表示画面５４の、表示形態情報が含まれる。
【０１８２】
また、ステップＳ２３８でＭＦＰ２Ａへ送信される表示情報には、文書ＩＤと、記憶部ＩＤと、ユーザＩＤと、が含まれる。この文書ＩＤは、該表示情報に含まれる表示形態情報の示す表示画面５４に含まれる文書の、文書データの識別情報である。また、この記憶部ＩＤは、該文書データを記憶した文書記憶部（例えば、サーバ装置３Ａ）の識別情報である。また、該表示情報に含まれるユーザＩＤは、該表示情報に含まれる記憶部ＩＤによって識別される文書記憶部（サーバ装置３Ａ）へアクセスするために用いる情報である。
【０１８３】
すなわち、送信部５０Ｄは、転送実行ボタン５６が操作される直前に表示部１１Ｂに表示していた表示画面５４を他の装置で再現するために必要な情報を含む表示情報を、該表示画面５４を転送する対象のＭＦＰ２Ａへ送信する。
【０１８４】
次に、送信部５０Ｄは、表示情報のＭＦＰ２Ａへの送信を完了したと判断するまで、否定判断を繰り返す（ステップＳ２４０：Ｎｏ）。表示情報のＭＦＰ２Ａへの送信を完了したと判断すると（ステップＳ２４０：Ｙｅｓ）、ステップＳ２４２へ進む。
【０１８５】
ステップＳ２４２では、表示制御部５０Ｂが、送信完了を示す終了画面５９を表示部１１Ｂへ表示する（ステップＳ２４２）。ステップＳ２４２の処理によって、例えば、表示部１１Ｂには、図１０に示す終了画面５９が表示される。
【０１８６】
次に、受信部５０Ｅが、ＭＦＰ２Ａから表示情報を受信したか否かを判断する（ステップＳ２４４）。すなわち、表示情報を受信したＭＦＰ２Ａで、表示画面５４の表示形態が変更されると、変更後の表示形態を示す表示形態情報を含む表示情報が、ＭＦＰ２Ａから端末装置１Ａへ送信される。
【０１８７】
ステップＳ２４４で肯定判断すると（ステップＳ２４４：Ｙｅｓ）、ステップＳ２４６へ進む。ステップＳ２４６では、表示制御部５０Ｂが、ステップＳ２４４でＭＦＰ２Ａから受信した表示情報を用いて、表示情報に含まれる文書ＩＤによって識別される文書データを、表示情報に含まれる表示形態情報によって示される表示形態で表示した表示画面５４を、表示部１１Ｂに表示する（ステップＳ２４６）。そして、上記ステップＳ２４４へ戻る。
【０１８８】
一方、ステップＳ２４４で否定判断すると（ステップＳ２４４：Ｎｏ）、ステップＳ２４８へ進む。ステップＳ２４８では、受付部５０Ａが、ステップＳ２３８で表示情報を送信してから所定時間経過したか否かを判断する（ステップＳ２４８）。
【０１８９】
ステップＳ２４８で否定判断すると（ステップＳ２４８：Ｎｏ）、上記ステップＳ２４４へ戻る。ステップＳ２４８で肯定判断すると（ステップＳ２４８：Ｙｅｓ）、ステップＳ２５０へ進む。
【０１９０】
ステップＳ２５０では、受付部５０Ａが、操作パネル１１から、中止指示を受付けたか否かを判断する（ステップＳ２５０）。受付部５０Ａは、例えば、ＭＦＰ２Ａにおける表示画面５４の表示の中止を指示するための中止ボタン５３（図１０参照）がユーザによって操作されたか否かを判別することで、ステップＳ２５０の判断を行う。
【０１９１】
ステップＳ２５０で否定判断すると（ステップＳ２５０：Ｎｏ）、上記ステップＳ２４４へ戻る。ステップＳ２５０で肯定判断すると（ステップＳ２５０：Ｙｅｓ）、ステップＳ２５２へ進む。
【０１９２】
ステップＳ２５２では、送信部５０Ｄが、直前にＭＦＰ２Ａへ送信した表示情報に応じた表示画面５４の中止を示す中止情報を、該ＭＦＰ２Ａへ送信する（ステップＳ２５２）。そして、本ルーチンを終了する。
【０１９３】
次に、ＭＦＰ２Ａで実行する表示・通信処理の手順の一例を説明する。図１４は、ＭＦＰ２Ａが実行する表示・通信処理の手順の一例を示すフローチャートである。
【０１９４】
まず、ＭＦＰ２Ａの受付部６０Ｄが、ＱＲコード６１の表示指示を操作パネル２７から受付けるまで否定判断を繰り返す（ステップＳ３００：Ｎｏ）。表示指示を受付けると、受付部６０Ｄは、ステップＳ３００で肯定判断し（ステップＳ３００：Ｙｅｓ）、ステップＳ３０２へ進む。ステップＳ３０２では、表示制御部６０Ｃが、当該ＭＦＰ２Ａの機器ＩＤを示す識別画像として、ＱＲコード６１を表示部２７Ｂへ表示する（ステップＳ３０２）。
【０１９５】
このため、ＭＦＰ２Ａの操作パネル２７には、ＱＲコード６１を含む操作画面６３が表示される（図８参照）。
【０１９６】
なお、ＭＦＰ２Ａの操作パネル２７には、ＱＲコード６１を含む画面を常時表示してもよい。この場合、ステップＳ３００：Ｙｅｓ、およびステップＳ３０２の実行を省略することができる。
【０１９７】
次に、ステップＳ３０４では、受信部６０Ａが、端末装置１Ａから表示情報を受信したか否かを判断する（ステップＳ３０４）。
【０１９８】
ステップＳ３０４で否定判断すると（ステップＳ３０４：Ｎｏ）、本ルーチンを終了する。ステップＳ３０４で肯定判断すると（ステップＳ３０４：Ｙｅｓ）、ステップＳ３０６へ進む。
【０１９９】
ステップＳ３０６では、表示制御部６０Ｃが表示画面５４を表示部２７Ｂへ表示する（ステップＳ３０６）。
【０２００】
詳細には、取得部６０Ｂが、ステップＳ３０４で受信した表示情報に含まれる、記憶部ＩＤによって識別される文書記憶部（サーバ装置３Ａ）へ、表示情報に含まれるユーザＩＤを用いてアクセスする。そして、取得部６０Ｂは、該文書記憶部（サーバ装置３Ａ）から、表示情報に含まれる文書ＩＤによって識別される文書データを取得する。
【０２０１】
そして、表示制御部６０Ｃは、取得部６０Ｂで取得した文書データを、ステップＳ３０４で受付けた表示情報に含まれる表示形態情報によって示される表示形態で表示した表示画面５４を、表示部２７Ｂへ表示する。
【０２０２】
このため、ＭＦＰ２Ａの表示部２７Ｂには、端末装置１Ａ側で表示されていた文書データが、該端末装置１Ａで表示された表示形態で表示される。
【０２０３】
次に、判断部６０Ｅが、表示情報に応じた表示画面５４の操作パネル２７（表示部２７Ｂ）への表示を中止するか否かを判断する（ステップＳ３０８）。ステップＳ３０８で否定判断すると（ステップＳ３０８：Ｎｏ）、ステップＳ３１０へ進む。
【０２０４】
次に、受付部６０Ｄが、表示形態変更指示を操作パネル２７から受付けたか否かを判断する（ステップＳ３１０）。
【０２０５】
例えば、ユーザは、操作パネル２７（入力部２７Ａ）を操作することで、文書データの文書の表示サイズ、表示画面５４における文書の表示位置、文書の表示状態、文書に加えられた加工情報、などを入力する。そして、受付部６０Ｄは、文書データの文書の表示サイズ、表示画面５４における文書の表示位置、文書の表示状態、文書に加えられた加工情報、などによって示される表示形態の変更指示を受付けると（ステップＳ３１０：Ｙｅｓ）、ステップＳ３１２へ進む。
【０２０６】
ステップＳ３１２では、表示制御部６０Ｃが、表示中の文書データの文書の表示形態を、ステップＳ３１０で受付けた表示形態変更指示によって示される表示形態に変更する（ステップＳ３１２）。そして、表示制御部６０Ｃは、ステップＳ３０６で表示に用いた文書データを、変更後の表示形態で表示した表示画面５４を、表示部２７Ｂへ表示する（ステップＳ３１４）。そして、ステップＳ３１６へ進む。
【０２０７】
なお、上記ステップＳ３１０で否定判断した場合についても（ステップＳ３１０：Ｎｏ）、ステップＳ３１６へ進む。
【０２０８】
次に、受付部６０Ｄが、操作パネル２７から決定指示を含む指示情報を受付けたか否かを判断する（ステップＳ３１６）。ユーザは、操作パネル２７を操作することで、操作パネル２７（表示部２７Ｂ）に表示された、決定指示を入力するための決定ボタン画像を指示する。すると、操作パネル２７は、決定指示を含む指示情報を制御部６０へ出力する。受付部６０Ｄは、操作パネル２７から、決定指示を含む指示情報を受付けたか否かを判別することで、ステップＳ３１６の判断を行う。
【０２０９】
ステップＳ３１６で否定判断すると（ステップＳ３１６：Ｎｏ）、上記ステップＳ３０８へ戻る。ステップＳ３１６で肯定判断すると（ステップＳ３１６：Ｙｅｓ）、ステップＳ３１８へ進む。
【０２１０】
ステップＳ３１８では、送信部６０Ｆが、ステップＳ３１６で肯定判断（ステップＳ３１６：Ｙｅｓ）したときに操作パネル２７に表示されていた表示画面５４に含まれる文書データの表示形態を示す表示形態情報を含む表示情報を、ステップＳ３０４で受信した表示情報の送信元の端末装置１Ａへ送信する（ステップＳ３１８）。そして、本ルーチンを終了する。
【０２１１】
一方、上記ステップＳ３０８で肯定判断すると（ステップＳ３０８：Ｙｅｓ）、ステップＳ３２０へ進む。
【０２１２】
ステップＳ３２０では、表示制御部６０Ｃが、表示部２７Ｂへの表示画面５４の表示を中止する（ステップＳ３２０）。そして、判断部６０Ｅは、該表示画面５４の表示情報を記憶部６４から削除する（ステップＳ３２２）。そして、送信部６０Ｆが、表示中止を示す表示中止情報を、ステップＳ３０４で受信した表示情報の送信元の端末装置１Ａへ送信する（ステップＳ３２４）。そして、本ルーチンを終了する。
【０２１３】
以上説明したように、本実施の形態の情報処理システム１０００は、ＭＦＰ２Ａ（電子機器）と、ＭＦＰ２Ａ（電子機器）と通信する端末装置１Ａと、を有する。
【０２１４】
端末装置１Ａは、表示部１１Ｂと、表示制御部５０Ｂと、取得部５０Ｃと、送信部５０Ｄと、を備える。表示制御部５０Ｂは、表示対象の文書データに関する表示画面５４を表示部１１Ｂへ表示する。取得部５０Ｃは、ＭＦＰ２Ａ（電子機器）を識別する機器ＩＤ（機器識別情報）を取得する。送信部５０Ｄは、表示情報を、機器ＩＤ（機器識別情報）によって識別されるＭＦＰ２Ａ（電子機器）へ送信する。表示情報は、表示された表示画面５４に含まれる文書データの表示形態を示す表示形態情報と、表示画面５４に含まれる文書データの文書ＩＤ（文書識別情報）と、文書データを記憶したサーバ装置３Ａ（文書記憶部）の記憶部ＩＤ（記憶部識別情報）と、サーバ装置３Ａ（文書記憶部）へアクセスするために用いるユーザＩＤ（ユーザ識別情報）と、を含む。
【０２１５】
ＭＦＰ２Ａ（電子機器）は、表示部２７Ｂと、受信部６０Ａと、取得部６０Ｂと、表示制御部６０Ｃと、を備える。受信部６０Ａは、表示情報を受信する。取得部６０Ｂは、表示情報に含まれる記憶部ＩＤ（記憶部識別情報）によって識別されるサーバ装置３Ａ（文書記憶部）へ、ユーザＩＤ（ユーザ識別情報）を用いてアクセスし、該サーバ装置３Ａ（文書記憶部）から該文書ＩＤ（文書識別情報）によって識別される文書データを取得する。表示制御部６０Ｃは、取得した文書データを、表示情報に含まれる表示形態情報によって示される表示形態で表示した表示画面５４を表示部２７Ｂへ表示する。
【０２１６】
このように、本実施の形態の情報処理システム１０００では、端末装置１Ａで表示した文書データに関する表示画面５４を、ＭＦＰ２Ａ側で、端末装置１Ａで表示した表示形態で表示する。
【０２１７】
従って、本実施の形態の情報処理システム１０００では、文書データの端末装置１Ａにおける表示形態を、ＭＦＰ２Ａ（電子機器）側で容易に再現することができる。
【０２１８】
また、ＭＦＰ２Ａ側では、文書データについて、ＭＦＰ２Ａに設けられた機能を実行することができる。このため、端末装置１Ａで表示した文書データに対して、ＭＦＰ２Ａで設定可能な実行条件（印刷条件など）を設定し、ＭＦＰ２Ａの機能を実行させることができる。例えば、端末装置１Ａで表示した文書データに対して、ＭＦＰ２Ａで詳細な印刷条件を設定し、設定した印刷条件で文書データを記録媒体に印刷することもできる。
【０２１９】
なお、ＭＦＰ２Ａ（電子機器）は、画像を記録媒体に形成する画像形成部を有することができる。
【０２２０】
また、端末装置１Ａは、読取装置１３を備える。読取装置１３は、端末装置１Ａの機器ＩＤ（機器識別情報）を示すＱＲコード６１（識別画像）を読取る。取得部５０Ｃは、ＱＲコード６１（識別画像）の読取結果から機器ＩＤ（機器識別情報）を取得することができる。
【０２２１】
また、ＭＦＰ２Ａ（電子機器）は、表示情報に応じた表示画面５４の表示を中止するか否かを判断する判断部６０Ｅを備えることができる。表示制御部６０Ｃは、表示画面５４の表示を中止すると判断した場合、表示部２７Ｂへの表示画面５４の表示を中止する。このため、上記効果に加えて、ＭＦＰ２Ａ（電子機器）が、サーバ装置３Ａ（文書記憶部）へのアクセスを継続可能な状態が維持されることを抑制することができる。
【０２２２】
また、端末装置１Ａの送信部５０Ｄは、表示情報に応じた表示画面５４の表示の中止を示す中止情報を送信することができる。この場合、ＭＦＰ２Ａ（電子機器）の判断部６０Ｅは、中止情報を受信したときに、表示画面５４の表示を中止すると判断することができる。
【０２２３】
また、端末装置１Ａの送信部５０Ｄは、表示情報をＭＦＰ２Ａ（電子機器）へ送信した後に、該送信から所定時間の間、表示画面５４の表示継続を示す継続情報を繰り返し送信してもよい。この場合、ＭＦＰ２Ａ（電子機器）の判断部６０Ｅは、継続情報を予め定めた時間以上受信しない場合、表示画面５４の表示を中止すると判断すればよい。
【０２２４】
＜変形例１＞
なお、上記実施の形態では、文書データを記憶した文書記憶部が、サーバ装置３Ａである場合を一例として説明した。詳細には、上記実施の形態では、サーバ装置３Ａの記憶部６４が、文書データを記憶した記憶部である場合を、一例として説明した。
【０２２５】
しかし、文書記憶部は、文書データを記憶可能なものであればよく、サーバ装置３Ａに限定されない。例えば、文書記憶部は、端末装置１Ａであってもよい。すなわち、この場合、端末装置１Ａの記憶部５２を、文書記憶部として用いればよい。
【０２２６】
＜変形例２＞
また、上記実施の形態では、電子機器をＭＦＰ２Ａに適用した形態を説明した。しかし、電子機器は、文書データを表示する表示機能と、文書データに対して各種機能に応じた処理を実行する実行機能と、を少なくとも有する機器であればよく、ＭＦＰ２Ａに適用した形態に限定されない。例えば、電子機器として、表示装置５を用いた形態であってもよい。
【０２２７】
表示装置５は、画像を投影する投影機能を有する装置である。表示装置５は、プロジェクタと称される場合もある。表示装置５の機能構成は、ＭＦＰ２Ａ（図５参照）と同様である。なお、表示装置５は、ＭＦＰ２Ａ（図５参照）における、表示制御部６０Ｃに代えて、画像を投影対象領域（例えば、スクリーンなど）に対応する投影機能部を備えた構成とすればよい。また、表示装置５は、ＭＦＰ２Ａにおける制御部６２（本体３０およびエンジン部３７）を備えない構成とすればよい。そして、表示装置５は、表示画面５４を表示部２７Ｂへ表示する処理に代えて、表示画面５４を投影対象領域へ投影する以外は、ＭＦＰ２Ａと同様の処理を実行すればよい。
【０２２８】
このように、電子機器として表示装置５を用いた場合も、上記実施の形態と同様の効果を得ることができる。
【０２２９】
＜変形例３＞
上記実施の形態では、１つのローカルネットワーク７Ａ内に接続された装置間における処理を説明した。本変形例では、端末装置１、ＭＦＰ２、およびサーバ装置３の少なくとも１つが、互いに異なるネットワーク７に接続され、中継装置６を介して通信する形態を説明する。
【０２３０】
図１に示すように、中継装置６は、グローバルネットワーク７Ｃに接続されている。中継装置６は、互いに異なるネットワーク７（ローカルネットワーク７Ａ、ローカルネットワーク７Ｂ、ローカルネットワーク７Ｄ、ローカルネットワーク７Ｅ）を中継する。
【０２３１】
すなわち、中継装置６は、互いに異なるネットワーク７（ローカルネットワーク７Ａ、ローカルネットワーク７Ｂ、ローカルネットワーク７Ｄ、ローカルネットワーク７Ｅ）に接続された各装置（端末装置１、ＭＦＰ２、サーバ装置３、表示装置５）間の、中継を行う。詳細には、中継装置６は、互いに異なるネットワーク７（ローカルネットワーク７Ａ、ローカルネットワーク７Ｂ、ローカルネットワーク７Ｄ、ローカルネットワーク７Ｅ）に接続された各装置（端末装置１、ＭＦＰ２、サーバ装置３、表示装置５）から、他のネットワーク７（ローカルネットワーク７Ａ、ローカルネットワーク７Ｂ、ローカルネットワーク７Ｄ、ローカルネットワーク７Ｅ）に接続された装置に対する要求を受付け、該装置へ提供する。
【０２３２】
例えば、ローカルネットワーク７Ａに接続された端末装置１Ａが、ローカルネットワーク７Ａとは異なるローカルネットワーク７Ｂに接続されたＭＦＰ２Ｂと通信を行うとする。この場合、端末装置１ＡとＭＦＰ２Ｂとは、中継装置６を介して通信する。
【０２３３】
具体的には、中継装置６は、互いに異なるネットワーク７（ローカルネットワーク７Ａ、ローカルネットワーク７Ｂ、ローカルネットワーク７Ｄ、ローカルネットワーク７Ｅ）に接続された各装置（端末装置１、ＭＦＰ２、サーバ装置３、表示装置５）用の記憶領域を備える。そして、これらの何れかの装置宛の要求を受付けると、受付けた要求を、宛先の装置に対応する記憶領域へ記憶する。
【０２３４】
ネットワーク７に接続された各装置（端末装置１、ＭＦＰ２、サーバ装置３、表示装置５）は、所定時間毎に、自装置に対応する記憶領域に新たな要求が格納されたか否かの問合せ信号を、中継装置６へ送る。
【０２３５】
中継装置６は、問合せ信号の送信元の装置（端末装置１、ＭＦＰ２、サーバ装置３、表示装置５）に対応する記憶領域に、新たな要求が格納されている場合、該問合せ信号の送信元の装置へ該要求を送信する。
【０２３６】
これにより、異なるネットワーク７に接続された機器が、中継装置６を介して互いに通信可能となる。
【０２３７】
次に、中継装置６のハードウェア構成の一例を説明する。図１５は、中継装置６のハードウェア構成の一例を示す模式図である。
【０２３８】
中継装置６は、ＣＰＵ７１と、ＲＯＭ７２と、ＲＡＭ７３と、ＨＤＤ７４と、通信Ｉ/Ｆ７５と、を備え、バス７０を介して相互に接続されている。
【０２３９】
ＣＰＵ７１は、中継装置６の動作を統括的に制御する。ＣＰＵ７１は、ＲＡＭ７３をワークエリアとし、ＲＯＭ７２またはＨＤＤ７４などに格納されたプログラムを実行することで、中継装置６全体の動作を制御し、後述する各種機能部を実現する。
【０２４０】
ＨＤＤ７４は、各種データを格納する。このＨＤＤ７４を、文書記憶部の１つとして機能させてもよい。
【０２４１】
次に、互いに異なるネットワーク７に接続された端末装置１、ＭＦＰ２、およびサーバ装置３と、これらの装置を中継する中継装置６と、の機能構成を説明する。図１６には、一例として、グローバルネットワーク７Ｃに接続された端末装置１Ｂと、ローカルネットワーク７Ａに接続されたＭＦＰ２Ａと、ローカルネットワーク７Ｂに接続されたサーバ装置３Ｂと、の機能的構成例を示すブロック図を示した。
【０２４２】
なお、サーバ装置３Ｂ、端末装置１Ｂ、およびサーバ装置３Ａの機能的構成は、第１の実施の形態で説明したサーバ装置３Ａ、ＭＦＰ２Ａ、およびサーバ装置３Ａの各々と同様である。
【０２４３】
中継装置６は、制御部７８と、記憶部７９と、を備える。制御部７８と記憶部７９とは、データや信号を授受可能に接続されている。
【０２４４】
記憶部７９は、各種データを記憶する。本実施の形態では、記憶部７９は、ネットワーク７に接続された装置ごとの記憶領域を含む。記憶領域は、例えば、フォルダなどである。すなわち、記憶部７９には、ネットワーク７に接続された各装置の各々の識別情報に対応するフォルダが設けられている。
【０２４５】
制御部７８は、中継装置６全体を制御する。制御部７８は、ＣＰＵ７１、ＲＯＭ７２、およびＲＡＭ７３（図１９参照）などによって実現する。なお、制御部７８は、回路などによって実現してもよい。
【０２４６】
制御部７８は、通信部７８Ａと、通信制御部７８Ｂと、を備える。通信部７８Ａ、および通信制御部７８Ｂの一部または全ては、例えば、ＣＰＵ７１などの処理装置にプログラムを実行させること（すなわちソフトウェア）により実現してもよいし、ＩＣなどのハードウェアにより実現してもよいし、併用して実現してもよい。
【０２４７】
通信部７８Ａは、ネットワーク７を介して他の装置とデータ授受を行う。
【０２４８】
本実施の形態では、通信部７８Ａは、ネットワーク７（例えば、ローカルネットワーク７Ａ）に接続された１の装置から、他のネットワーク７（例えば、ローカルネットワーク７Ｂ）に接続された装置宛の要求を受付ける。
【０２４９】
すると、通信制御部７８Ｂは、受付けた要求を、該要求の宛先の装置の識別情報に対応する記憶領域（記憶部７９の対応するフォルダ）に記憶する。
【０２５０】
また、通信部７８Ａは、ネットワーク７に接続された１の装置（例えば、ネットワーク７Ｂ）に接続された装置から、自装置に対応する記憶領域に新たな要求が格納されたか否かの問合せ信号を受付ける。通信制御部７８Ｂは、該装置に対応する記憶領域（記憶部７９の対応するフォルダ）に、該装置宛の新たな要求が格納されている場合、該問合せ信号の送信元の装置へ該要求を送信する。
【０２５１】
本変形例における、端末装置１Ｂ、ＭＦＰ２Ａ、およびサーバ装置３Ｂで実行する表示・通信処理は、中継装置６を介して通信を行う以外は、上記実施の形態と同様である。
【０２５２】
次に、互いに異なるネットワーク７に接続された端末装置１、ＭＦＰ２、およびサーバ装置３と、これらの装置を中継する中継装置６と、が実行する、表示・通信処理の全体の流れの一例を説明する。図１７は、互いに異なるネットワーク７に接続された端末装置１、ＭＦＰ２、およびサーバ装置３と、これらの装置を中継する中継装置６と、が実行する、表示・通信処理の全体の流れの一例を示すシーケンス図である。
【０２５３】
なお、図１７には、一例として、グローバルネットワーク７Ｃに接続された端末装置１Ｂと、ローカルネットワーク７Ａに接続されたＭＦＰ２Ａと、ローカルネットワーク７Ｂに接続されたサーバ装置３Ｂと、が中継装置６を介して通信する形態を示した。
【０２５４】
なお、端末装置１Ｂ、ＭＦＰ２Ａ、サーバ装置３Ｂの各々は、図１７に示すシーケンスの実行される期間、自装置に対応する記憶領域に新たな要求が格納されたか否かの問合せ信号を、中継装置６へ繰り返し送信しているものとする（ＳＥＱ５００、ＳＥＱ５０１、ＳＥＱ５０２）。
【０２５５】
まず、端末装置１Ｂの受付部５０Ａが、表示・通信処理を実行するためのアプリケーションの起動指示を操作パネル１１から受付ける。すると、端末装置１Ｂの制御部５０が、表示・通信処理を実行するためのアプリケーションを起動する（ＳＥＱ５０４）。
【０２５６】
次に、表示制御部５０Ｂが、管理情報５２Ａに登録されている記憶部ＩＤの一覧を選択可能に表示部１１Ｂへ表示する。本実施の形態では、管理情報５２Ａに登録されている、文書記憶部を示す記憶部ＩＤは、サーバ装置３の記憶部６８に限定されず、中継装置６の記憶部７９や、端末装置１の記憶部５２の各々を示すものであってもよい。
【０２５７】
ユーザは、表示部１１Ｂに表示された記憶部ＩＤの一覧から、文書データを取得する対象の文書記憶部の記憶部ＩＤを選択する。すると、端末装置１Ｂの送信部５０Ｄが、選択された記憶部ＩＤに対応するユーザＩＤを、管理情報５２Ａから読取る。
【０２５８】
そして、端末装置１Ｂの送信部５０Ｄは、読取ったユーザＩＤと、文書一覧取得要求と、を、選択された記憶部ＩＤによって示される装置（本実施の形態では、サーバ装置３Ｂとする）宛の要求として、中継装置６へ送信する（ＳＥＱ５０６）。
【０２５９】
サーバ装置３Ｂの通信部６６Ａは、中継装置６へ問合せ信号を送信し、中継装置６における自装置に対応する記憶領域から、端末装置１Ｂからの要求（文書一覧取得要求）を受付ける（ＳＥＱ５０８）。そして、サーバ装置３Ｂの通信制御部６６Ｂは、サーバ装置３Ｂの記憶部６８に格納されている文書データの一覧を示す文書一覧を、該要求の送信元の端末装置１Ｂ宛の要求として、中継装置６へ送信する（ＳＥＱ５１０）。
【０２６０】
端末装置１Ｂの送信部５０Ｄは、中継装置６へ問合せ信号を送信し、中継装置６における自装置に対応する記憶領域から、サーバ装置３Ｂからの要求（文書一覧）を受付ける（ＳＥＱ５１２）。
【０２６１】
そして、端末装置１Ｂの表示制御部５０Ｂは、ＳＥＱ５１２でサーバ装置３Ｂから中継装置６を介して受付けた文書一覧を示す表示画面５４を、操作パネル１１（表示部１１Ｂ）へ表示する制御を行う（ＳＥＱ５１４）。
【０２６２】
ユーザが、該表示画面５４に含まれる１つの文書を選択したとする。すると、端末装置１Ｂの送信部５０Ｄは、該選択された文書データの取得要求を、ユーザによって選択された記憶部ＩＤによって示されるサーバ装置３Ｂ宛の要求として、中継装置６へ送信する（ＳＥＱ５１６）。
【０２６３】
サーバ装置３Ｂの通信部６６Ａは、中継装置６へ問合せ信号を送信し、中継装置６における自装置に対応する記憶領域から、端末装置１Ｂからの要求（文書データ取得要求）を受付ける（ＳＥＱ５１８）。そして、サーバ装置３Ｂの通信制御部６６Ｂは、サーバ装置３Ｂの記憶部６８に格納されている、該文書データ取得要求に示される文書データを読取り、該要求の送信元の端末装置１Ｂ宛の要求として、中継装置６へ送信する（ＳＥＱ５２０）。
【０２６４】
端末装置１Ｂの送信部５０Ｄは、中継装置６へ問合せ信号を送信し、中継装置６における自装置に対応する記憶領域から、サーバ装置３Ｂからの要求（文書データ）を受付ける（ＳＥＱ５２２）。
【０２６５】
端末装置１Ｂの表示制御部５０Ｂは、サーバ装置３Ｂから中継装置６を介して受付けた文書データを含む表示画面５４を、表示部１１Ｂへ表示する（ＳＥＱ５２４）。ユーザは、操作パネル１１（入力部１１Ａ）を操作することで、文書データの表示形態を指示する。端末装置１Ｂの受付部５０Ａがユーザによる操作を受付けると（ＳＥＱ５２６）、受付けた操作によって示される表示形態で、文書データを表示部１１Ｂへ表示する（ＳＥＱ５２８）。
【０２６６】
ユーザは、入力部１１Ａを操作することで、表示部１１Ｂに表示された表示画面５４の内の１の表示画面５４を選択し、転送実行ボタン５６を指示する。すると、操作パネル１１は、選択された表示画面５４の識別情報と、決定指示と、を含む指示情報を制御部５０へ出力する。
【０２６７】
そして、端末装置１Ｂの受付部５０Ａは、ユーザによる転送実行ボタン５６の指示によって、決定指示を含む指示情報を受付けると（ＳＥＱ５３０）、機器ＩＤを受付けるための受付画面５７を表示部１１Ｂへ表示する（図７参照）。
【０２６８】
ユーザは、端末装置１Ｂに表示した表示画面５４を表示させる対象のＭＦＰ２Ａを操作し、ＱＲコードの表示指示を入力する。ＭＦＰ２Ａの受付部６０Ｄは、表示指示を受付けると（ＳＥＱ５３２）、ＭＦＰ２Ａの操作パネル２７に、ＱＲコード６１を含む操作画面６３を表示する（ＳＥＱ５３４）（図８参照）。
【０２６９】
ユーザは、端末装置１Ｂの読取装置１３を、ＭＦＰ２Ａの操作パネル２７に表示されたＱＲコード６１に翳す。これにより、端末装置１Ｂの読取装置１３は、ＱＲコード６１を撮影によって読取る（ＳＥＱ５３６）。
【０２７０】
そして、端末装置１Ｂの取得部５０Ｃは、該ＱＲコード６１の読取結果から、機器ＩＤを取得する（ＳＥＱ５３８）。
【０２７１】
次に、端末装置１Ｂの送信部５０Ｄが、表示情報を、ＳＥＱ５３８で取得した機器ＩＤによって識別されるＭＦＰ２Ａ宛の要求として、中継装置６へ送信する（ＳＥＱ５４０）。
【０２７２】
ＭＦＰ２Ａの送信部６０Ｆは、中継装置６へ問合せ信号を送信し、中継装置６における自装置に対応する記憶領域から、端末装置１Ｂからの要求（表示情報）を受付ける（ＳＥＱ５４２）。
【０２７３】
そして、ＭＦＰ２Ａの取得部６０Ｂは、ＳＥＱ５４２で端末装置１Ｂから中継装置６を介して受信した表示情報に含まれる記憶部ＩＤによって識別される文書記憶部（サーバ装置３Ｂ）を宛先として、表示情報に含まれるユーザＩＤと、該表示情報に含まれる文書ＩＤによって識別される文書データの取得要求とを、中継装置６へ送信する（ＳＥＱ５４４）。
【０２７４】
サーバ装置３Ｂの通信部６６Ａは、中継装置６へ問合せ信号を送信し、中継装置６における自装置に対応する記憶領域から、端末装置１Ｂからの要求（文書データ取得要求）とユーザＩＤとを受付ける（ＳＥＱ５４６）。そして、サーバ装置３Ｂの通信制御部６６Ｂは、サーバ装置３Ｂの記憶部６８に格納されている、該文書データ取得要求によって示される文書データを、該要求の送信元の端末装置１Ｂ宛の要求として、中継装置６へ送信する（ＳＥＱ５４８）。
【０２７５】
ＭＦＰ２Ａの送信部６０Ｆは、中継装置６へ問合せ信号を送信し、中継装置６における自装置に対応する記憶領域から、サーバ装置３Ｂからの要求（文書データ）を受付ける（ＳＥＱ５４９）。
【０２７６】
そして、ＭＦＰ２Ａの表示制御部６０Ｃは、ＳＥＱ５４９で取得した文書データを、ＳＥＱ５４２で端末装置１Ｂから中継装置６を介して受付けた表示情報に含まれる表示形態情報によって示される表示形態で表示した表示画面５４を、ＭＦＰ２Ａの表示部２７Ｂへ表示する（ＳＥＱ５５０）。
【０２７７】
ユーザによるＭＦＰ２Ａの操作パネル２７の操作指示によって、操作パネル２７に表示した表示画面５４に含まれる文書データの表示形態の変更が指示される場合がある。この場合、ＭＦＰ２Ａの受付部６０Ｄは、表示形態変更指示を示す指示情報を操作パネル２７から受付ける（ＳＥＱ５５２）。
【０２７８】
ＭＦＰ２Ａの表示制御部６０Ｃは、ＳＥＱ５５２で受付けた表示形態変更指示によって示される表示形態となるように、ＳＥＱ５５０で表示部２７Ｂに表示した表示画面５４に含まれる文書データの表示形態を変更する。そして、ＭＦＰ２Ａの表示制御部６０Ｃは、文書データを変更後の表示形態で表示した表示画面５４を、表示部２７Ｂに表示する（ＳＥＱ５５４）。
【０２７９】
なお、ユーザによる操作パネル２７の操作指示によって、表示画面５４の確定を示す確定指示が入力された場合、受付部６０Ｄは、確定指示を操作パネル２７から受付ける。すると、ＭＦＰ２Ａの送信部６０Ｆは、変更された表示画面５４に含まれる文書データの表示形態を示す表示形態情報を含む表示情報を、ＳＥＱ５４２の表示情報の送信元の端末装置１Ｂ宛の要求として、中継装置６へ送信する（ＳＥＱ５５６）。
【０２８０】
端末装置１Ｂの送信部５０Ｄは、中継装置６へ問合せ信号を送信し、中継装置６における自装置に対応する記憶領域から、ＭＦＰ２Ａからの要求（表示情報）を受付ける（ＳＥＱ５５８）。
【０２８１】
端末装置１Ｂの表示制御部５０Ｂでは、ＭＦＰ２Ａから中継装置６を介して受信した表示情報を用いて、表示画面５４を端末装置１Ｂの操作パネル１１へ表示する（ＳＥＱ５６０）。
【０２８２】
なお、ＭＦＰ２Ａは、上記実施の形態と同様に、表示画面５４の表示を中止するか否かを判断し、中止すると判断した場合、表示部２７Ｂへの表示画面５４の表示を中止してもよい。
【０２８３】
以上説明したように、本変形例では、端末装置１と、ＭＦＰ２（電子機器）と、は、互いに異なるネットワーク７に接続されていてもよい。この場合、端末装置１およびＭＦＰ２（電子機器）は、中継装置６を介して通信すればよい。
【０２８４】
このように、端末装置１、ＭＦＰ２、およびサーバ装置３の少なくとも１つが、互いに異なるネットワーク７に接続された形態であっても、第１の実施の形態と同様の効果を得ることができる。
【０２８５】
また、文書データを記憶した文書記憶部は、サーバ装置３の記憶部６８に限定されず、中継装置６の記憶部７９や、端末装置１の記憶部５２であってもよい。
【０２８６】
すなわち、サーバ装置３に代えて、中継装置６を、文書記憶部として機能させてもよい。また、サーバ装置３および中継装置６の双方を、文書記憶部として機能させてもよい。また、端末装置１、サーバ装置３、および中継装置６の少なくとも１つを、文書記憶部として機能させてもよい。
【０２８７】
また、図１に示すように、ＭＦＰ２Ｄは、サーバ装置３Ｄを介してネットワーク７（ローカルネットワーク７Ｄ）に接続した構成であってもよい。また、サーバ装置３Ｅは、ＭＦＰ２Ｅを介してネットワーク７（ローカルネットワーク７Ｅ）に接続した構成であってもよい。また、端末装置１Ｂは、グローバルネットワーク７Ｃに、基地局などを介して直接接続した構成であってもよい。
【０２８８】
また、図１に示すように、情報処理システム１０００は、同一ネットワーク７（ローカルネットワーク７Ａ、ローカルネットワーク７Ｂ、ローカルネットワーク７Ｄ、ローカルネットワーク７Ｅ（第２のネットワーク））に接続されたサーバ装置３およびＭＦＰ２（サーバ装置３ＡとＭＦＰ２Ａ、サーバ装置３ＢとＭＦＰ２Ｂ、サーバ装置３ＤとＭＦＰ２Ｄ、サーバ装置３ＥとＭＦＰ２Ｅ）と、異なるネットワーク７（グローバルネットワーク７Ｃ（第１のネットワーク））に接続された端末装置１Ｂと、が中継装置６を介して通信する構成であってもよい。
【０２８９】
また、図１に示すように、情報処理システム１０００は、端末装置１と、ＭＦＰ２と、サーバ装置３と、が互いに異なるネットワーク７（第１のネットワーク、第２のネットワーク、第３のネットワーク）に接続された形態であってもよい。すなわち、例えば、情報処理システム１０００Ａは、ローカルネットワーク７Ａに接続された端末装置１Ａと、ローカルネットワーク７Ｂに接続されたＭＦＰ２Ｂと、ローカルネットワーク７Ｄに接続されたサーバ装置３Ｄと、を備えた構成であってもよい。
【０２９０】
このように、端末装置１、ＭＦＰ２、およびサーバ装置３の少なくとも１つが他の装置と互いに異なるネットワーク７に接続された形態であっても、中継装置６を介して通信することで、上記実施の形態と同様の効果を得ることができる。
【０２９１】
なお、上述した実施の形態および変形例における、端末装置１（１Ａ、１Ｂ）、ＭＦＰ２（２Ａ、２Ｂ、２Ｄ、２Ｅ）、サーバ装置３、表示装置５、および中継装置６の各々で実行する上記表示・通信処理などの処理を実行するためのプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【０２９２】
なお、上記には、実施の形態および変形例を説明したが、これらの実施の形態および変形例は、例として提示したものであり、発明の範囲を限定することは意図していない。これらの新規な実施の形態および変形例は、その他の様々な形態で実施されることが可能であり、発明の要旨を逸脱しない範囲で、種々の省略、置き換え、変更を行うことができる。これらの実施の形態および変形例は、発明の範囲や要旨に含まれるとともに、特許請求の範囲に記載された発明とその均等の範囲に含まれる。
【符号の説明】
【０２９３】
１、１Ａ、１Ｂ  端末装置
２、２Ａ、２Ｂ、２Ｄ、２Ｅ  ＭＦＰ
３、３Ａ、３Ｂ、３Ｄ、３Ｅ  サーバ装置
６  中継装置
１１Ｂ  表示部（第１の表示部）
１３  読取部
２７Ｂ  表示部（第２の表示部）
３７Ａ  画像形成部
５０Ａ  受付部
５０Ｂ  表示制御部（第１の表示制御部）
５０Ｃ  取得部（第１の取得部）
５０Ｄ  送信部
６０Ｂ  取得部（第２の取得部）
６０Ｃ  表示制御部（第２の表示制御部）
６０Ｅ  判断部
１０００  情報処理システム
【先行技術文献】
【特許文献】
【０２９４】
【特許文献１】特開２００８−０７１２３３号公報
【図１】
2017111517.tif 000003
【図２】
2017111517.tif 000004
【図３】
2017111517.tif 000005
【図４】
2017111517.tif 000006
【図５】
2017111517.tif 000007
【図６】
2017111517.tif 000008
【図７】
2017111517.tif 000009
【図８】
2017111517.tif 000010
【図９】
2017111517.tif 000011
【図１０】
2017111517.tif 000012
【図１１】
2017111517.tif 000013
【図１２】
2017111517.tif 000014
【図１３】
2017111517.tif 000015
【図１４】
2017111517.tif 000016
【図１５】
2017111517.tif 000017
【図１６】
2017111517.tif 000018
【図１７】
2017111517.tif 000019